(57)【要約】  タイミング調整のための方法、デバイス、及びコンピュータ読み取り可能な媒体が提供される。端末デバイスで実施される方法を提供する。この方法は、ネットワークデバイスが端末デバイスにサービスを提供するためにサービングセルを提供し、且つサービングセルが少なくともアップリンク伝送のタイミングを調整するための第１のプロシージャ、及びアップリンク伝送のタイミングを調整するための第２のプロシージャが構成されることに応答して、第１のプロシージャ及び第２のプロシージャから、アップリンク伝送に適用される少なくとも１つのプロシージャを決定すること（２１０）を含む。この方法は、少なくとも１つのプロシージャに対して少なくとも１つのタイミングアドバンス（ＴＡ）値を決定すること（２２０）をさらに含む。【選択図】図２
2022502879.tif 000002
【特許請求の範囲】
【請求項１】
端末デバイスで実施される方法であって、
ネットワークデバイスが前記端末デバイスにサービスを提供するためにサービングセルを提供し、且つ前記サービングセルが少なくともアップリンク伝送のタイミングを調整するための第１のプロシージャ、及びアップリンク伝送のタイミングを調整するための第２のプロシージャで構成されることに応答して、前記第１のプロシージャ及び前記第２のプロシージャから、アップリンク伝送に適用される少なくとも１つのプロシージャを決定することと、
前記少なくとも１つのプロシージャに対して少なくとも１つのタイミングアドバンス（ＴＡ：Timing Advance）値を決定することと、
前記少なくとも１つのＴＡ値に基づいて前記アップリンク伝送の前記タイミングを調整することによって、前記少なくとも１つのプロシージャを前記アップリンク伝送に適用することと、
を含む、方法。
【請求項２】
前記ネットワークデバイスは、前記端末デバイスと通信するために、第１のＴＲＰ及び第２のＴＲＰと接続され、前記第１のＴＲＰ及び前記第２のＴＲＰは前記サービングセルに含まれており、
前記第１のプロシージャは、前記第１のＴＲＰを介するアップリンク伝送のタイミングを調整するように構成され、前記第２のプロシージャは、前記第２のＴＲＰを介するアップリンク伝送のタイミングを調整するように構成されている、
請求項１に記載の方法。
【請求項３】
前記少なくとも１つのプロシージャを決定することは、
前記アップリンク伝送に関連付けられた少なくとも１つのリソースに関する情報を受信したことに応答して、前記情報に基づいて前記少なくとも１つのプロシージャを決定することを含む、
請求項１に記載の方法。
【請求項４】
少なくとも１つのプロシージャを決定することは、
前記ネットワークデバイスから、ＰＵＳＣＨでのアップリンク伝送に使用される少なくとも１つのＳＲＳリソースの指示を受信したことに応答して、前記少なくとも１つのＳＲＳリソースに基づいて、前記ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項５】
少なくとも１つのプロシージャを決定することは、
前記ネットワークデバイスから、ＰＵＳＣＨに関連付けられたＤＭＲＳを伝送するために使用される少なくとも１つのＤＭＲＳポートの指示を受信したことに応答して、前記少なくとも１つのＤＭＲＳポートに基づいて、ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項６】
少なくとも１つのプロシージャを決定することは、
前記ネットワークデバイスから、ＰＵＳＣＨでのアップリンク伝送に使用されるプリコーディング情報を決定するための少なくとも１つのＣＳＩ−ＲＳリソースの指示を受信したことに応答して、前記少なくとも１つのＣＳＩ−ＲＳリソースに基づいて、前記ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項７】
少なくとも１つのプロシージャを決定することは、
前記ネットワークデバイスから、ＰＵＣＣＨでの伝送に対する構成を受信したことに応答して、前記構成に基づいて、前記第１のプロシージャ及び前記第２のプロシージャから、ＰＵＳＣＨでのアップリンク伝送に適用される第３のプロシージャと、ＰＵＣＣＨでのアップリンク伝送に適用される第４のプロシージャとを決定することを含み、
少なくとも１つのＴＡ値を決定することは、
前記第３のプロシージャに対するＴＡ値、及び前記第４のプロシージャに対する他のＴＡ値を決定することを含み、
前記アップリンク伝送の前記タイミングを調整することは、
前記ＴＡ値に基づいて、前記ＰＵＳＣＨでのアップリンク伝送の前記タイミングを調整することと、
前記他のＴＡ値に基づいて、前記ＰＵＣＣＨでのアップリンク伝送の前記タイミングを調整することと、を含む、
請求項１に記載の方法。
【請求項８】
前記少なくとも１つのプロシージャは、前記第１のＴＲＰを介する第１のアップリンク伝送に適用される前記第１のプロシージャを含み、
少なくとも１つのＴＡ値を決定することは、
前記第１のプロシージャに対する第１のＴＡ値を決定することを含み、
前記アップリンク伝送の前記タイミングを調整することは、
前記第１のＴＡ値に基づいて、前記第１のアップリンク伝送の前記タイミングを調整することを含む、
請求項２に記載の方法。
【請求項９】
前記少なくとも１つのプロシージャは、前記第２のＴＲＰを介する第２のアップリンク伝送に適用される前記第２のプロシージャをさらに含み、
少なくとも１つのＴＡ値を決定することは、
前記第２のプロシージャに対する第２のＴＡ値を決定することを含み、前記第２のＴＡ値は前記第１のＴＡ値とは異なり、
前記アップリンク伝送の前記タイミングを調整することは、
前記第２のＴＡ値に基づいて、前記第２のアップリンク伝送の前記タイミングを調整することを含む、
請求項８に記載の方法。
【請求項１０】
前記第１のＴＡ値は、
ランダムアクセス応答からのＴＡコマンド、
媒体アクセス制御（ＭＡＣ：Medium Access Control）制御要素（ＣＥ：Control Element）からのＴＡコマンド、及び
以前に前記第１のプロシージャに対して決定されたＴＡ値、
のうちの少なくとも１つに基づいて決定される、
請求項８に記載の方法。
【請求項１１】
前記第２のＴＡ値は、
ランダムアクセス応答からのＴＡコマンド、
ＭＡＣ  ＣＥからのＴＡコマンド、
以前に前記第１のプロシージャに対して決定されたＴＡ値、
以前に前記第２のプロシージャに対して決定されたＴＡ値、及び
前記第１のＴＲＰから受信した第１のダウンリンク信号と前記第２のＴＲＰから受信した第２のダウンリンク信号との間のタイミング差、
のうちの少なくとも１つに基づいて決定される、
請求項９に記載の方法。
【請求項１２】
ネットワークデバイスで実施される方法であって、
前記ネットワークデバイスが、端末デバイスにサービスを提供するためにサービングセルを提供し、且つ前記サービングセルが少なくともアップリンク伝送のタイミングを調整するための第１のプロシージャ、及びアップリンク伝送のタイミングを調整するための第２のプロシージャで構成されることに応答して、前記第１のプロシージャ及び前記第２のプロシージャから、アップリンク伝送に適用される少なくとも１つのプロシージャを決定することと、
前記端末デバイスが、前記アップリンク伝送のタイミングを調整するために前記少なくとも１つのプロシージャを適用するように、前記端末デバイスに前記少なくとも１つのプロシージャを示すことと、
を含む、方法。
【請求項１３】
前記ネットワークデバイスは、前記端末デバイスと通信するために、第１のＴＲＰ及び第２のＴＲＰと接続され、前記第１のＴＲＰ及び前記第２のＴＲＰは前記サービングセルに含まれており、
前記第１のプロシージャは、前記第１のＴＲＰを介するアップリンク伝送のタイミングを調整するように構成され、前記第２のプロシージャは、前記第２のＴＲＰを介するアップリンク伝送のタイミングを調整するように構成されている、
請求項１２に記載の方法。
【請求項１４】
前記少なくとも１つのプロシージャを示すことは、
前記アップリンク伝送に関連付けられた少なくとも１つのリソースに関する情報を前記端末デバイスに伝送することによって、前記少なくとも１つのプロシージャを示すことを含む、
請求項１２に記載の方法。
【請求項１５】
少なくとも１つのプロシージャを決定することは、
ＰＵＳＣＨでのアップリンク伝送に適用される少なくとも１つのプロシージャを決定することを含み、
前記少なくとも１つのプロシージャを示すことは、
前記ＰＵＳＣＨでのアップリンク伝送に使用される少なくとも１つのＳＲＳリソースの指示を前記端末デバイスに伝送することによって、前記少なくとも１つのプロシージャを示すことを含む、
請求項１２に記載の方法。
【請求項１６】
少なくとも１つのプロシージャを決定することは、
ＰＵＳＣＨでのアップリンク伝送に適用される少なくとも１つのプロシージャを決定することを含み、
前記少なくとも１つのプロシージャを示すことは、
ＰＵＳＣＨに関連付けられたＤＭＲＳを伝送するために使用される少なくとも１つのＤＭＲＳポートの指示を前記端末デバイスに伝送することによって、前記少なくとも１つのプロシージャを示すことを含む、
請求項１２に記載の方法。
【請求項１７】
少なくとも１つのプロシージャを決定することは、
ＰＵＳＣＨでのアップリンク伝送に適用される少なくとも１つのプロシージャを決定することを含み、
前記少なくとも１つのプロシージャを示すことは、
ＰＵＳＣＨでの前記アップリンク伝送に使用されるプリコーディング情報を決定するための少なくとも１つのＣＳＩ−ＲＳリソースの指示を前記端末デバイスに伝送することによって、前記少なくとも１つのプロシージャを示すことを含む、
請求項１２に記載の方法。
【請求項１８】
少なくとも１つのプロシージャを決定することは、
ＰＵＳＣＨでのアップリンク伝送に適用される第３のプロシージャと、ＰＵＣＣＨでのアップリンク伝送に適用される第４のプロシージャとを決定することを含み、
前記少なくとも１つのプロシージャを示すことは、
前記ＰＵＣＣＨでの伝送に対する構成を前記端末デバイスに伝送することによって、前記第３のプロシージャ及び前記第４のプロシージャを示すことを含む、
請求項１２に記載の方法。
【請求項１９】
前記第１のプロシージャに対する第１のＴＡ値を示す第１のＴＡコマンドと、前記第２のプロシージャに対する第２のＴＡ値を示す第２のＴＡコマンドを前記端末デバイスに伝送することによって、前記端末デバイスが、前記第１のＴＡ値及び前記第２のＴＡ値の少なくとも一方に基づいて前記アップリンク伝送の前記タイミングを調整することで前記少なくとも１つのプロシージャを前記アップリンク伝送に適用することをさらに含む、
請求項１２に記載の方法。
【請求項２０】
前記第１のＴＡコマンド及び前記第２のＴＡコマンドは、ランダムアクセス応答及び媒体アクセス制御（ＭＡＣ）制御要素（ＣＥ）の少なくとも１つを介して伝送される、
請求項１９に記載の方法。
【請求項２１】
デバイスであって、
プロセッサと、
前記プロセッサに接続され、前記プロセッサによって実行されると、前記デバイスに請求項１から１１のいずれかに記載の方法を実行させる命令が格納されたメモリと、
を備える、デバイス。
【請求項２２】
デバイスであって、
プロセッサと、
前記プロセッサに接続され、前記プロセッサによって実行されると、前記デバイスに請求項１２から２０のいずれかに記載の方法を実行させる命令が格納されたメモリと、
を備える、デバイス。
【請求項２３】
少なくとも１つのプロセッサで実行されると、前記少なくとも１つのプロセッサに請求項１から１１のいずれかに記載の方法を実行させる命令が格納されたコンピュータ読み取り可能な媒体。
【請求項２４】
少なくとも１つのプロセッサで実行されると、前記少なくとも１つのプロセッサに請求項１２から２０のいずれかに記載の方法を実行させる命令が格納されたコンピュータ読み取り可能な媒体。
【発明の詳細な説明】
【技術分野】
【０００１】
本開示の実施形態は、一般的に、電気通信の分野に関し、特に、タイミング調整のための方法、デバイス、及びコンピュータ読み取り可能な媒体に関する。
【背景技術】
【０００２】
従来、端末デバイス（例えば、ユーザ機器（ＵＥ：User Equipment））からネットワークデバイス（例えば、次世代ＮｏｄｅＢ（ｇＮＢ））へのアップリンク（ＵＬ：Uplink）伝送を調整する必要がある。端末デバイスからのＵＬ無線フレームの伝送は、ネットワークデバイスで異なる端末デバイスからのＵＬ信号を受信する時間を整列させてＵＬ直交性を確保し、かつセル間干渉を低減することができるように、対応するダウンリンク（ＤＬ：Downlink）無線フレームの伝送開始よりも一定時間前で開始すべきである。新しい無線アクセス（ＮＲ：New Radio access）において、端末デバイスはサービングセルに２つのアップリンクキャリアが構成される場合、同じタイミングアドバンス調整用の値が両方のキャリアに適用されてもよい。例えば、ネットワークデバイス（例えば、ｇＮＢ）から、少なくとも１つのサービングセルを含むタイミングアドバンスグループ（ＴＡＧ：Timing Advance Group）に対するタイミングアドバンスコマンドを受信すると、端末デバイスは、受信したタイミングアドバンスコマンドに基づいて、この少なくとも１つのサービングセルの物理アップリンク制御チャネル（ＰＵＣＣＨ：Physical Uplink Control Channel）、物理アップリンク共有チャネル（ＰＵＳＣＨ：Physical Uplink Shared Channel）及び／又はサウンディング参照信号（ＳＲＳ：Sounding Reference Signal）のＵＬ伝送タイミングを調整する。
【０００３】
しかしながら、ＮＲでは、ネットワークデバイスは、複数の送受信ポイント（ＴＲＰ：Transmission and Reception Points）又はアンテナパネルを備えることがある。即ち、ＵＬ信号は、複数のＴＲＰのうちの１つ又は複数を介して端末デバイスからネットワークデバイスに伝送されることができる。通常、マルチＴＲＰ伝送の場合、複数のＴＲＰは同じサービングセルに配置されることができるが、それぞれのＴＲＰは端末デバイスからの距離が異なってもよい。この場合、サービングセルにおける同じタイミング調整用の値は、マルチＴＲＰ伝送には十分ではない可能性がある。
【発明の概要】
【発明が解決しようとする課題】
【０００４】
一般的に、本開示の例示的な実施形態は、タイミング調整のための方法、デバイス、及びコンピュータ読み取り可能な媒体を提供する。
【課題を解決するための手段】
【０００５】
第１の態様では、端末デバイスで実施される方法を提供する。この方法は、ネットワークデバイスが端末デバイスにサービスを提供するためにサービングセルを提供し、且つサービングセルが少なくともアップリンク伝送のタイミングを調整するための第１のプロシージャ、及びアップリンク伝送のタイミングを調整するための第２のプロシージャで構成されることに応答して、第１のプロシージャ及び第２のプロシージャから、アップリンク伝送に適用される少なくとも１つのプロシージャを決定することを含む。この方法は、少なくとも１つのプロシージャに対して少なくとも１つのタイミングアドバンス（ＴＡ：Timing Advance）値を決定することをさらに含む。また、この方法は、少なくとも１つのＴＡ値に基づいてアップリンク伝送のタイミングを調整することによって、少なくとも１つのプロシージャをアップリンク伝送に適用することをさらに含む。
【０００６】
第２の態様では、ネットワークデバイスで実施される方法を提供する。この方法は、ネットワークデバイスが端末デバイスにサービスを提供するためにサービングセルを提供し、且つサービングセルが少なくともアップリンク伝送のタイミングを調整するための第１のプロシージャ、及びアップリンク伝送のタイミングを調整するための第２のプロシージャで構成されることに応答して、第１のプロシージャ及び第２のプロシージャから、アップリンク伝送に適用される少なくとも１つのプロシージャを決定することを含む。この方法は、端末デバイスがアップリンク伝送のタイミングを調整するために少なくとも１つのプロシージャを適用するように、端末デバイスに少なくとも１つのプロシージャを示すことをさらに含む。
【０００７】
第３の態様では、デバイスを提供する。このデバイスは、プロセッサと、このプロセッサに接続されたメモリとを備える。このメモリは、プロセッサによって実行されると、デバイスに動作を実行させる命令を格納する。上記動作は、ネットワークデバイスが端末デバイスにサービスを提供するためにサービングセルを提供し、且つサービングセルが少なくともアップリンク伝送のタイミングを調整するための第１のプロシージャ、及びアップリンク伝送のタイミングを調整するための第２のプロシージャで構成されることに応答して、第１のプロシージャ及び第２のプロシージャから、アップリンク伝送に適用される少なくとも１つのプロシージャを決定することと、少なくとも１つのプロシージャに対して少なくとも１つのタイミングアドバンス（ＴＡ：Timing Advance）値を決定することと、少なくとも１つのＴＡ値に基づいてアップリンク伝送のタイミングを調整することによって、少なくとも１つのプロシージャをアップリンク伝送に適用することと、を含む。
【０００８】
第４の態様では、デバイスを提供する。このデバイスは、プロセッサと、プロセッサに接続されたメモリとを備える。このメモリは、プロセッサによって実行されると、デバイスに動作を実行させる命令を格納する。上記動作は、ネットワークデバイスが端末デバイスにサービスを提供するためにサービングセルを提供し、且つサービングセルが少なくともアップリンク伝送のタイミングを調整するための第１のプロシージャ、及びアップリンク伝送のタイミングを調整するための第２のプロシージャで構成されることに応答して、第１のプロシージャ及び第２のプロシージャから、アップリンク伝送に適用される少なくとも１つのプロシージャを決定することと、端末デバイスが少なくとも１つのプロシージャをアップリンク伝送に適用するように、端末デバイスに少なくとも１つのプロシージャを示すことと、を含む。
【０００９】
第５の態様では、命令が格納されたコンピュータ読み取り可能な媒体を提供する。この命令は、少なくとも１つのプロセッサで実行されると、この少なくとも１つのプロセッサに、本開示の第１の態様に記載の方法を実行させる。
【００１０】
第６の態様では、命令が格納されたコンピュータ読み取り可能な媒体が提供される。この命令は、少なくとも１つのプロセッサで実行されると、この少なくとも１つのプロセッサに、本開示の第２の態様に記載の方法を実行させる。
【００１１】
第７の態様では、コンピュータ読み取り可能な記憶媒体に有形に格納されたコンピュータプログラム製品が提供される。このコンピュータプログラム製品は、少なくとも１つのプロセッサで実行されると、この少なくとも１つのプロセッサに本開示の第１の態様又は第２の態様に記載の方法を実行させる命令を含む。
【００１２】
本開示の他の特徴は、以下の記述を通して容易に理解可能になる。
【図面の簡単な説明】
【００１３】
添付図面における本開示のいくつかの実施形態のより詳細な説明を通して、本開示の上記及び他の目的、特徴、及び利点がより明らかになる。
【００１４】
【図１Ａ】本開示の実施形態が実施されることができる例示的な通信ネットワークを示す。
【図１Ｂ】本開示の実施形態が実施されることができる例示的な通信ネットワークを示す。
【００１５】
【図２】本開示のいくつかの実施形態に係るタイミング調整のための例示的な方法のフローチャートを示す。
【００１６】
【図３Ａ】本開示のいくつかの実施形態に係る例示的な情報要素を示す。
【図３Ｂ】本開示のいくつかの実施形態に係る例示的な情報要素を示す。
【図３Ｃ】本開示のいくつかの実施形態に係る例示的な情報要素を示す。
【図３Ｄ】本開示のいくつかの実施形態に係る例示的な情報要素を示す。
【図３Ｅ】本開示のいくつかの実施形態に係る例示的な情報要素を示す。
【図３Ｆ】本開示のいくつかの実施形態に係る例示的な情報要素を示す。
【００１７】
【図４】本開示のいくつかの実施形態に係る異なるＳＲＳリソースとそれぞれのＴＡ値との間の関連の例を示す。
【００１８】
【図５Ａ】本開示のいくつかの実施形態の例を示す。
【図５Ｂ】本開示のいくつかの実施形態の例を示す。
【図５Ｃ】本開示のいくつかの実施形態の例を示す。
【００１９】
【図６】本開示のいくつかの実施形態の例を示す。
【００２０】
【図７Ａ】本開示のいくつかの実施形態に係る例示的な情報要素を示す。
【図７Ｂ】本開示のいくつかの実施形態に係る例示的な情報要素を示す。
【図７Ｃ】本開示のいくつかの実施形態に係る例示的な情報要素を示す。
【図７Ｄ】本開示のいくつかの実施形態に係る例示的な情報要素を示す。
【図７Ｅ】本開示のいくつかの実施形態に係る例示的な情報要素を示す。
【図７Ｆ】本開示のいくつかの実施形態に係る例示的な情報要素を示す。
【００２１】
【図８】本開示のいくつかの実施形態の例を示す。
【００２２】
【図９】本開示のいくつかの実施形態に係るタイミング調整のための例示的な方法のフローチャートを示す。
【００２３】
【図１０】本開示の実施形態の実施に適するデバイスの簡略的なブロック図である。
【００２４】
図面全体において、同一又は類似の参照番号は、同一又は類似の要素を表す。
【発明を実施するための形態】
【００２５】
本開示の原理を、いくつかの例示的な実施形態を参照して説明する。これらの実施形態は、例示の目的のみで記載され、本開示の範囲に関するいかなる制限を示唆することなく、当業者が本開示を理解及び実施することに寄与することが理解される。本明細書に説明される開示は、以下に説明されるもの以外の様々な態様で実施されることができる。
【００２６】
以下の説明及び特許請求の範囲において、別途定義されない限り、本明細書で使用されるすべての技術用語及び科学用語は、本開示が属する技術分野の当業者にとって一般的に理解するものと同じ意味を有する。
【００２７】
本明細書で使用されるとき、単数形である「１つ（ａ）」、「１つ（ａｎ）」、及び「前記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」として読まれる。「一実施形態」及び「実施形態」という用語は、「少なくとも１つの実施形態」として読まれる。「別の実施形態」という用語は、「少なくとも１つの他の実施形態」として読まれる。「第１」、「第２」などの用語は、異なるオブジェクト又は同じオブジェクトを指すことができる。以下には、明示的及び暗黙的なその他の定義が含まれることがある。
【００２８】
いくつかの例では、値、手順、又は装置は、「最もよい」、「最も低い」、「最も高い」、「最小」、「最大」などとして言及される。そのような記述は、多くの使用される機能的選択肢から選択可能であり、このような選択は、他の選択に比べてより良く、小さい、高い、又はより好ましい必要がないことを示すと意図していることを理解されたい。
【００２９】
上述したように、通常、端末デバイス（例えば、ＵＥ）からネットワークデバイス（例えば、ｇＮＢ）へのＵＬ伝送を調整する必要がある。端末デバイスからのＵＬ無線フレームの伝送は、ネットワークデバイスで異なる端末デバイスからのＵＬ信号を受信する時間を整列させてＵＬ直交性を確保し、かつセル間干渉を低減することができるように、対応するＤＬ無線フレームの伝送開始よりも一定時間前で開始すべきである。ＮＲにおいて、端末デバイスはサービングセルに２つのアップリンクキャリアが構成される場合、同じタイミングアドバンス調整用の値が両方のキャリアに適用されてもよい。例えば、ネットワークデバイス（例えば、ｇＮＢ）から、少なくとも１つのサービングセルを含むタイミングアドバンスグループに対するタイミングアドバンスコマンドを受信すると、端末デバイスは、受信したタイミングアドバンスコマンドに基づいて、この少なくとも１つのサービングセルのＰＵＣＣＨ、ＰＵＳＣＨ及び／又はＳＲＳのＵＬ伝送タイミングを調整する。
【００３０】
しかしながら、ＮＲでは、ネットワークデバイスは、複数のＴＲＰ又はアンテナパネルを備えることがある。即ち、ＵＬ信号は、複数のＴＲＰのうちの１つ又は複数を介して端末デバイスからネットワークデバイスに伝送されることができる。通常、マルチＴＲＰ伝送の場合、複数のＴＲＰは同じサービングセルに配置されることができるが、それぞれのＴＲＰは端末デバイスからの距離が異なってもよい。この場合、サービングセルにおける同じタイミング調整用の値は、マルチＴＲＰ伝送には十分ではない可能性がある。
【００３１】
本開示の実施形態は、上記の課題及び他の潜在的な課題のうちの１つ又は複数を解決するために、タイミング調整のためのソリューションを提供する。このソリューションによれば、異なるタイミング調整をセル内の異なる無線リンクに適用することができる。特に、個別の無線リンクに対するタイミングアドバンス（ＴＡ：Timing Advance）値の指示、測定、及び適用が可能である。
【００３２】
本開示の原理及び実施形態は、以下の図面を参照して詳細に説明する。
【００３３】
図１Ａは、本開示の実施形態が実施されることができる例示的な通信ネットワーク１００を示す。ネットワーク１００は、ネットワークデバイス１１０と、ネットワークデバイス１１０によってサービスが提供される端末デバイス１２０とを含む。ネットワーク１００は、端末デバイス１２０にサービスを提供するために、１つ又は複数のサービングセル１０２を提供することができる。ネットワークデバイス、端末デバイス及び／又はサービングセルの数は、本開示に対するいかなる制限を示唆することなく、例示の目的のみであることを理解されたい。ネットワーク１００は、本開示の実施形態の実施に適する任意の適切な数のネットワークデバイス、端末デバイス及び／又はサービングセルを含むことができる。
【００３４】
本明細書で使用されるとき、「端末デバイス」という用語は、無線又は有線通信機能を有する任意のデバイスを指す。端末デバイスの例としては、ユーザ機器（ＵＥ：User Equipment）、パーソナルコンピュータ、デスクトップ、移動電話、セルラー電話、スマートフォン、携帯情報端末（ＰＤＡ：Personal Digital Assistant）、ポータブルコンピュータ、デジタルカメラなどの画像キャプチャデバイス、ゲームデバイス、音楽記憶・再生機器、又は無線や有線インターネットアクセス及びブラウジングなどを可能にするインターネット機器などが挙げられるが、これらに限定されない。検討の目的のために、以下、端末デバイスの例としてＵＥを参照していくつかの実施形態を説明する。
【００３５】
本明細書で使用されるとき、「ネットワークデバイス」又は「基地局」（ＢＳ：Base Station）という用語は、端末デバイスが通信できるセル又はカバレッジを提供し、又はホストすることができるデバイスを指す。ネットワークデバイスの例として、Ｎｏｄｅ  Ｂ（ＮｏｄｅＢ又はＮＢ）、Ｅｖｏｌｖｅｄ  ＮｏｄｅＢ（ｅＮｏｄｅＢ又はｅＮＢ）、次世代ＮｏｄｅＢ（ｇＮＢ）、リモート無線ユニット（ＲＲＵ：Remote Radio Unit）、無線ヘッド（ＲＨ：Radio Head）、リモート無線ヘッド（ＲＲＨ：Remote Radio Head）、及びフェムトノードやピコノードなどの低パワーノードなどが挙げられるが、これらに限定されない。検討の目的のために、以下、ネットワークデバイス１１０の例としてｇＮＢを参照していくつかの実施形態を説明する。
【００３６】
例えば、いくつかのシナリオでは、ネットワーク１００において、キャリアアグリゲーション（ＣＡ：Carrier Aggregation）をサポートすることができ、ここで、より広い帯域幅をサポートするために２つ以上のコンポーネントキャリア（ＣＣ：Component Carrier）がアグリゲーションされる。ＣＡにおいて、ネットワークデバイス１１０は、端末デバイス１２０にサービスを提供するために、１つのプライマリセル（ＰＣｅｌｌ：Primary Cell）及び少なくとも１つのセカンダリセル（ＳＣｅｌｌ：Secondary Cell）を含む複数のサービングセル（例えば、１ＣＣあたり１つのサービングセル）を提供してもよい。端末デバイス１２０は、ＰＣｅｌｌにおいてネットワークデバイス１１０との間で無線リソース制御（ＲＲＣ：Radio Resource Control）接続を確立することができる。ネットワークデバイス１１０と端末デバイス１２０との間のＲＲＣ接続が確立され、且つ上位層シグナリングを介してＳＣｅｌｌがアクティブ化されると、ＳＣｅｌｌは、追加の無線リソースを提供することができる。
【００３７】
いくつかの他のシナリオでは、例えば、端末デバイス１２０は、２つの異なるネットワークデバイス（図１Ａに示されていない）との接続を確立してもよく、これにより、この２つのネットワークデバイスの無線リソースを利用可能にする。２つのネットワークデバイスは、それぞれマスタネットワークデバイス及びセカンダリネットワークデバイスとして定義されてもよい。マスタネットワークデバイスは、「マスタセルグループ（ＭＣＧ：Master Cell Group）」とも呼ばれるサービングセルのグループを提供してもよい。セカンダリネットワークデバイスも、「セカンダリセルグループ（ＳＣＧ：Secondary Cell Group）」とも呼ばれるサービングセルのグループを提供してもよい。デュアルコネクティビティ動作の場合、「スペシャルセル（ＳｐＣｅｌｌ：Special Cell）」という用語は、端末デバイス１２０がＭＣＧ又はＳＣＧにそれぞれ関連付けられているか否かに応じて、ＭＣＧのＰｃｅｌｌ又はＳＣＧのプライマリＳｃｅｌｌ（ＰＳｃｅｌｌ）を指してもよい。デュアルコネクティビティ動作以外の場合、「ＳｐＣｅｌｌ」という用語は、ＰＣｅｌｌを指すこともある。
【００３８】
図１Ａに示す通信ネットワーク１００において、ネットワークデバイス１１０は、データ及び制御情報を端末デバイス１２０に通信することができ、端末デバイス１２０も、データ及び制御情報をネットワークデバイス１１０に通信することができる。ネットワークデバイス１１０から端末デバイス１２０へのリンクはダウンリンク（ＤＬ）と呼ばれ、端末デバイス１２０からネットワークデバイス１１０へのリンクはアップリンク（ＵＬ）と呼ばれる。
【００３９】
ネットワーク１００における通信は、任意の適切な規格に準拠してもよく、ここでの規格は、モバイル通信用グローバルシステム（ＧＳＭ：Global System for Mobile Communications）、ロングタームエボリューション（ＬＴＥ：Long Term Evolution）、ＬＴＥエボリューション、ＬＴＥアドバンスト（ＬＴＥ−Ａ：LTE-Advanced）、広帯域符号分割多元接続（ＷＣＤＭＡ：Wideband Code Division Multiple Access）、符号分割多元接続（ＣＤＭＡ：Code Division Multiple Access）、ＧＳＭ  ＥＤＧＥ無線アクセスネットワーク（ＧＥＲＡＮ：GSM EDGE Radio Access Network）などを含むが、これらに限定されない。さらに、通信は、現在知られている、又は将来に開発される任意の世代の通信プロトコルに従って実施されてもよい。通信プロトコルの例として、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが挙げられるが、これらに限定されない。
【００４０】
ネットワークデバイス１１０（例えば、ｇＮＢ）は、１つ又は複数のＴＲＰ又はアンテナパネルを備えてもよい。本明細書で使用されるとき、用語「ＴＲＰ」は、特定の地理的位置にあるネットワークデバイスに利用可能なアンテナアレイ（１つ又は複数のアンテナ要素を有する）を指す。例えば、ネットワークデバイスは、より良好なカバレッジを達成するために、異なる地理的位置にある複数のＴＲＰと接続されてもよい。１つ又は複数のＴＲＰは、同じサービングセルに含まれてもよいし、異なるサービングセルに含まれてもよい。
【００４１】
ＴＲＰは、パネルであることもでき、パネルは、アンテナアレイ（１つ又は複数のアンテナ要素を有する）を指すこともできることを理解されたい。本開示のいくつかの実施形態は、例えば複数のＴＲＰを参照して説明するが、これらの実施形態は、例示の目的にすぎず、本開示の範囲に対するいかなる制限を示唆することなく、当業者が本開示を理解及び実施することに寄与するためのものである。本明細書に説明される本開示は、以下に説明されるもの以外の様々な態様で実施され得ることを理解されたい。
【００４２】
図１Ｂは、図１Ａに示すネットワーク１００の例示的なシナリオを示す。図１Ｂに示すように、例えば、ネットワークデバイス１１０は、ＴＲＰ１３０−１、１３０−２を介して端末デバイス１２０と通信してもよい。以下の説明では、ＴＲＰ１３０−１を第１のＴＲＰと呼び、ＴＲＰ１３０−２を第２のＴＲＰと呼ぶこともある。第１のＴＲＰ１３０−１及び第２のＴＲＰ１３０−２は、ネットワークデバイス１１０によって提供される同一のサービングセル（例えば、図１Ａに示すセル１０２）に含まれてもよいし、異なるサービングセルに含まれてもよい。本開示のいくつかの実施形態は、ネットワークデバイス１１０によって提供される同一のサービングセル内の第１及び第２のＴＲＰ１３０−１、１３０−２を参照して説明するが、これらの実施形態は、図示の目的にすぎず、本開示の範囲に対するいかなる制限を示唆することなく、当業者が本開示を理解及び実施することに寄与するためのものである。本明細書に説明される本開示は、以下に説明されるもの以外の様々な態様で実施され得ることを理解されたい。
【００４３】
図２は、本開示のいくつかの実施形態に係るタイミング調整のための方法２００を示す。例えば、方法２００は、図１Ａ〜１Ｂに示す端末デバイス１２０で実施されることができる。方法２００は、図示されない追加の動作を含み、及び／又は図示されているいくつかの動作を省略してもよく、本開示の範囲はこの点で限定されないことを理解されたい。検討の目的で、方法２００について、図１Ａ〜１Ｂを参照して、端末デバイス１２０の観点から説明する。
【００４４】
２１０において、ネットワークデバイス１１０が端末デバイス１２０にサービスを提供するためにサービングセル１０２を提供し、且つサービングセル１０２が少なくともアップリンク伝送のタイミングを調整するための第１のプロシージャ、及びアップリンク伝送のタイミングを調整するための第２のプロシージャで構成されることに応答して、端末デバイス１２０は、第１のプロシージャ及び第２のプロシージャから、ＵＬ伝送に適用される少なくとも１つのプロシージャを決定する。
【００４５】
いくつかの実施形態では、図１Ｂに示すように、ネットワークデバイス１１０は、端末デバイス１２０と通信するために、第１のＴＲＰ１３０−１及び第２のＴＲＰ１３０−２と接続されてもよい。例えば、第１のＴＲＰ１３０−１及び第２のＴＲＰ１３０−２は、同じサービングセル１０２に含まれてもよい。いくつかの実施形態では、例えば、第１のＴＡ値に関連付けられた第１のプロシージャは、第１のＴＲＰ１３０−１を介するアップリンク伝送のタイミングを調整するように構成されるとともに、第２のＴＡ値に関連付けられた第２のプロシージャは、第２のＴＲＰ１３０−２を介するアップリンク伝送のタイミングを調整するように構成されてもよい。以下の説明では、第１のＴＡ値を「ＴＴＡ−１」と表し、第２のＴＡ値を「ＴＴＡ−２」と表すことがある。
【００４６】
いくつかの実施形態では、例えば、第１のプロシージャ用の第１のＴＡ値ＴＴＡ−１は、１つのセルのための現在の３ＧＰＰ仕様で定義されるＴＡ値と同じであってもよい。さらに、例えば、第２のプロシージャ用の第２のＴＡ値ＴＴＡ−２は、上記セルのための追加のＴＡ値であってもよい。いくつかの実施形態では、第２のＴＡ値ＴＴＡ−２は、絶対値として決定されてもよい。代替的に、他の実施形態では、第２のＴＡ値ＴＴＡ−２は、第１のＴＡ値ＴＴＡ−１に対するオフセットとして決定されてもよい。第１及び第２のＴＡ値の決定は、以下に詳細に説明される。
【００４７】
いくつかの実施形態では、アップリンク伝送に関連付けられた少なくとも１つのリソースに関する情報を受信したことに応答して、端末デバイス１２０は、この少なくとも１つのリソースに関する情報に基づいて、サービングセルに対して構成される第１のプロシージャ及び第２のプロシージャから、ＵＬ伝送に適用される少なくとも１つのプロシージャを選択してもよい。例えば、少なくとも１つのリソースは、以下のいずれかを含んでもよい。即ち、ＳＲＳ伝送に使用される１つ又は複数のＳＲＳリソースセット、ＳＲＳ伝送に使用される１つ又は複数のＳＲＳリソース、ＳＲＳ伝送用の参照信号（ＲＳ）とターゲットＳＲＳとの間の空間的関係に関する１つ又は複数の構成、ＰＵＳＣＨでのアップリンク伝送に使用される１つ又は複数のＳＲＳリソース、ＰＵＳＣＨに関連付けられたＤＭＲＳ伝送に使用される１つ又は複数のＤＭＲＳポート、ＳＲＳ伝送に使用されるプリコーディング情報を決定するための１つ又は複数のＣＳＩ−ＲＳリソース、ＳＲＳ伝送用のＳＲＳリソース又はＳＲＳリソースセットに関連付けられた１つ又は複数のＣＳＩ−ＲＳリソース、ＰＵＳＣＨでのアップリンク伝送に使用されるプリコーディング情報を決定するための１つ又は複数のＣＳＩ−ＲＳリソース、ＰＵＣＣＨでのアップリンク伝送に使用される１つ又は複数のＰＵＣＣＨリソース、ＰＵＣＣＨでのアップリンク伝送に使用される１つ又は複数のＰＵＣＣＨリソースセット、ＰＵＣＣＨ伝送用のＲＳとターゲットＰＵＣＣＨとの間の空間的関係に関する１つ又は複数の構成などが挙げられる。
【００４８】
いくつかの実施形態では、ＵＬ伝送に適用される少なくとも１つのプロシージャは、ＰＵＳＣＨでのアップリンク伝送に使用される少なくとも１つのＳＲＳリソースの指示に基づいて決定されることができる。例えば、ネットワークデバイス１１０から、ＰＵＳＣＨでのＵＬ伝送に使用される少なくとも１つのＳＲＳリソースの指示を受信したことに応答して、端末デバイス１２０は、この少なくとも１つのＳＲＳリソースに基づいて、ＰＵＳＣＨでのアップリンク伝送に適用される少なくとも１つのプロシージャを決定してもよい。いくつかの実施形態では、コードブックベースのＵＬ伝送又は非コードブックベースのＵＬ伝送の場合、ＰＵＳＣＨでのＵＬ伝送は、フォーマット０＿１のダウンリンク制御情報（ＤＣＩ：Downlink Control Information）によってスケジュールされてもよい。例えば、フォーマット０＿１のＤＣＩは、ＰＵＳＣＨ伝送に使用される１つ又は複数のＳＲＳリソースを示すＳＲＳリソースインジケータ（ＳＲＩ：SRS Resource Indicator）フィールドを含んでもよい。ＰＵＳＣＨ伝送がフォーマット０＿１のＤＣＩによってスケジュールされる場合、端末デバイス１２０は、ネットワークデバイス１１０から受信したフォーマット０＿１のＤＣＩからのＳＲＩに基づいて、第１のプロシージャ及び第２のプロシージャのどちらがＰＵＳＣＨ伝送に適用されるかを決定してもよい。
【００４９】
いくつかの実施形態では、ＳＲＳリソースを定義する情報要素に、第１のプロシージャ及び第２のプロシージャのどちらがＳＲＳリソースに関連付けられているかを示す追加のファイルを導入することができる。これにより、ＳＲＳリソースが端末デバイス１２０に対して構成されると、端末デバイス１２０は、ＳＲＳリソースを示す情報要素に含まれる追加のフィールドに基づいて、第１のＴＡ値及び第２のＴＡ値のどちらが、ＳＲＳリソースに関連付けられたＵＬ伝送のタイミングを調整するために使用されるかを決定することができる。
【００５０】
図３Ａは、ＳＲＳリソースを定義する情報要素３１０の一例を示す。図３Ａに示すように、情報要素３１０には、ＳＲＳリソースに関連付けられているＴＡ値を示す追加のフィールド「ＴＡ−ａ」が含まれる。例えば、このフィールド「ＴＡ−ａ」の値が「Ａ」である場合、第１のＴＡ値ＴＴＡ−１がＳＲＳリソースに関連付けられていることを意味する。その他、このフィールド「ＴＡ−ａ」の値が「Ｂ」である場合、第２のＴＡ値ＴＴＡ−２がＳＲＳリソースに関連付けられていることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素３１０に存在しない場合、第１のＴＡ値ＴＴＡ−１がＳＲＳリソースに関連付けられていることを意味する。
【００５１】
図３Ｂは、ＳＲＳリソースを定義する情報要素３２０の別の例を示す。図３Ｂに示すように、ＳＲＳリソースに関連付けられているＴＡ値を示す追加のフィールド「ＴＡ−ａ」が情報要素３２０に導入されてもよい。例えば、このフィールド「ＴＡ−ａ」が情報要素３２０に存在しない、又はフィールド「ＴＡ−ａ」の値が「ＦＡＬＳＥ」である場合、第１のＴＡ値ＴＴＡ−１がＳＲＳリソースに関連付けられていることを意味する。その他、このフィールド「ＴＡ−ａ」が情報要素３２０に存在する、又はフィールド「ＴＡ−ａ」の値が「Ｃ」或いは「ＴＲＵＥ」である場合、第２のＴＡ値ＴＴＡ−２がＳＲＳリソースに関連付けられていることを意味する。例えば、「Ｃ」は、０、１、有効、存在又は真などの任意の値であってもよい。
【００５２】
図３Ｃは、ＳＲＳリソースセットを定義する情報要素３３０の例を示す。図３Ｃに示すように、情報要素３３０には、ＳＲＳリソースセットに関連付けられたＴＡ値を示す追加のフィールド「ＴＡ−ａ」が含まれる。例えば、このフィールド「ＴＡ−ａ」の値が「Ａ」である場合、第１のＴＡ値ＴＴＡ−１がＳＲＳリソースセットに関連付けられていることを意味する。その他、このフィールド「ＴＡ−ａ」の値が「Ｂ」である場合、第２のＴＡ値ＴＴＡ−２がＳＲＳリソースセットに関連付けられていることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素３３０に存在しない場合、第１のＴＡ値ＴＴＡ−１がＳＲＳリソースセットに関連付けられていることを意味する。
【００５３】
図３Ｄは、ＳＲＳリソースセットを定義する情報要素３４０の別の例を示す。図３Ｄに示すように、ＳＲＳリソースセットに関連付けられているＴＡ値を示す追加のフィールド「ＴＡ−ａ」が情報要素３４０に導入されてもよい。例えば、このフィールド「ＴＡ−ａ」が情報要素３４０に存在しない、又はフィールド「ＴＡ−ａ」の値が「ＦＡＬＳＥ」である場合、第１のＴＡ値ＴＴＡ−１がＳＲＳリソースセットに関連付けられていることを意味する。その他、このフィールド「ＴＡ−ａ」が情報要素３４０に存在する、又はフィールド「ＴＡ−ａ」の値が「Ｃ」或いは「ＴＲＵＥ」である場合、第２のＴＡ値ＴＴＡ−２がＳＲＳリソースセットに関連付けられていることを意味する。例えば、「Ｃ」は、０、１、有効、存在又は真などの任意の値であってもよい。
【００５４】
図３Ｅは、上位層パラメータ「ＳＲＳ−ＳｐａｔｉａｌＲｅｌａｔｉｏｎＩｎｆｏ」を定義する情報要素３５０の例を示す。図３Ｅに示すように、情報要素３５０には、パラメータ「ＳＲＳ−ＳｐａｔｉａｌＲｅｌａｔｉｏｎＩｎｆｏ」に関連付けられているＴＡ値を示す追加のフィールド「ＴＡ−ａ」が含まれる。例えば、このフィールド「ＴＡ−ａ」の値が「Ａ」である場合、第１のＴＡ値ＴＴＡ−１がパラメータ「ＳＲＳ−ＳｐａｔｉａｌＲｅｌａｔｉｏｎＩｎｆｏ」に関連付けられていることを意味する。その他、このフィールド「ＴＡ−ａ」の値が「Ｂ」である場合、第２のＴＡ値ＴＴＡ−２がパラメータ「ＳＲＳ−ＳｐａｔｉａｌＲｅｌａｔｉｏｎＩｎｆｏ」に関連付けられていることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素３５０に存在しない場合、第１のＴＡ値ＴＴＡ−１がパラメータ「ＳＲＳ−ＳｐａｔｉａｌＲｅｌａｔｉｏｎＩｎｆｏ」に関連付けられていることを意味する。
【００５５】
図３Ｆは、上位層パラメータ「ＳＲＳ−ＳｐａｔｉａｌＲｅｌａｔｉｏｎＩｎｆｏ」を定義する情報要素３６０の別の例を示す。図３Ｆに示すように、パラメータ「ＳＲＳ−ＳｐａｔｉａｌＲｅｌａｔｉｏｎＩｎｆｏ」に関連付けられているＴＡ値を示す追加のフィールド「ＴＡ−ａ」が情報要素３６０に導入されてもよい。例えば、このフィールド「ＴＡ−ａ」が情報要素３６０に存在しない、又はフィールド「ＴＡ−ａ」の値が「ＦＡＬＳＥ」である場合、第１のＴＡ値ＴＴＡ−１がパラメータ「ＳＲＳ−Ｓｐａｔｉｏｎ−ＳｐａｔｉｏｎＲｅｌａｔｉｏｎＩｎｆｏ」に関連付けられていることを意味する。その他、このフィールド「ＴＡ−ａ」が情報要素３６０に存在する、又はフィールド「ＴＡ−ａ」の値が「Ｃ」或いは「ＴＲＵＥ」である場合、第２のＴＡ値ＴＴＡ−２がパラメータ「ＳＲＳ−ＳｐａｔｉａｌＲｅｌａｔｉｏｎＩｎｆｏ」に関連付けられていることを意味する。例えば、「Ｃ」は、「０」、「１」、「有効」、「存在」、「真」などの任意の値であってもよい。
【００５６】
いくつかの実施形態では、端末デバイス１２０に対して２つのＳＲＳリソースセット／グループが構成されてもよい。各ＳＲＳリソースセット／グループは、１つのＣＳＩ−ＲＳリソースごとに関連付けられてもよい。例えば、２つのＳＲＳリソースグループは、１つのＳＲＳリソースセット内に含まれてもよく、各ＳＲＳリソースグループは、少なくとも１つのＳＲＳリソースを含んでもよい。異なるＳＲＳリソースグループ内のＳＲＳリソースは、異なってもよい。いくつかの実施形態では、端末デバイス１２０は、関連するＣＳＩ−ＲＳリソースの測定に基づいて、ＳＲＳリソースグループ／セットの伝送に使用されるプリコーダを計算することができる。
【００５７】
いくつかの実施形態では、１つのＳＲＳリソースグループ／セットは、１つのＣＳＩ−ＲＳリソースごとに関連付けられてもよい。ＣＳＩ−ＲＳリソースに対して追加のフィールド「ＴＡ−ａ」が構成されてもよく、フィールド「ＴＡ−ａ」は、ＣＳＩ−ＲＳリソースに関連付けられているＳＲＳリソースグループ／セットに関連付けられているＴＡ値を示してもよい。例えば、このフィールド「ＴＡ−ａ」の値が「Ａ」である場合、第１のＴＡ値ＴＴＡ−１がＳＲＳリソースグループ／セットに関連付けられていることを意味する。その他、このフィールド「ＴＡ−ａ」の値が「Ｂ」である場合、第２のＴＡ値ＴＴＡ−２がＳＲＳリソースグループ／セットに関連付けられていることを意味する。例えば、（「Ａ」、「Ｂ」）は、（０、１）、（有効、無効）、（存在、存在しない）又は（真、偽）であってもよい。別の例として、ＣＳＩ−ＲＳリソースに対して追加のフィールド「ＴＡ−ａ」が構成されない場合、第１のＴＡ値ＴＴＡ−１がＳＲＳリソースグループ／セットに関連付けられていることを意味する。
【００５８】
いくつかの実施形態では、１つのＳＲＳリソースグループ／セットは、１つのＣＳＩ−ＲＳリソースごとに関連付けられてもよい。ＣＳＩ−ＲＳリソースに対して追加のフィールド「ＴＡ−ａ」が構成されてもよく、フィールド「ＴＡ−ａ」は、ＣＳＩ−ＲＳリソースに関連付けられているＳＲＳリソースグループ／セットに関連付けられているＴＡ値を示してもよい。例えば、このフィールド「ＴＡ−ａ」がＣＳＩ−ＲＳリソースに対して構成されない、又はＣＳＩ−ＲＳリソースに対して構成されているフィールド「ＴＡ−ａ」の値が「ＦＡＬＳＥ」である場合、第１のＴＡ値ＴＴＡ−１がＳＲＳリソースグループ／セットに関連付けられていることを意味する。その他、このフィールド「ＴＡ−ａ」がＣＳＩ−ＲＳリソースに対して構成されている、又は ＣＳＩ−ＲＳリソースに対して構成されているフィールド「ＴＡ−ａ」の値が「Ｃ」或いは「ＴＲＵＥ」である場合、第２のＴＡ値ＴＴＡ−２がＳＲＳリソースグループ／セットに関連付けられていることを意味する。例えば、「Ｃ」は、「０」、「１」、「有効」、「存在」、「真」などの任意の値であってもよい。
【００５９】
いくつかの実施形態では、１つ又は２つのＳＲＳリソースセット／グループは端末デバイス１２０に対して構成されてもよい。各ＳＲＳリソースセット／グループは、２つのＣＳＩ−ＲＳリソースに関連付けられてもよい。例えば、２つのＳＲＳリソースグループは、１つのＳＲＳリソースセット内に含まれてもよく、各ＳＲＳリソースグループは、少なくとも１つのＳＲＳリソースを含んでもよい。異なるＳＲＳリソースグループ内のＳＲＳリソースは、異なってもよい。いくつかの実施形態では、端末デバイス１２０は、２つの関連するＣＳＩ−ＲＳリソースから１つを選択し、選択した関連するＣＳＩ−ＲＳリソースの測定に基づいて、ＳＲＳリソースグループ／セットの伝送に使用されるプリコーダを計算してもよい。
【００６０】
いくつかの実施形態では、１つのＳＲＳリソースグループ／セットは、１つ又は２つのＣＳＩ−ＲＳリソースに関連付けられてもよい。いくつかの実施形態では、ＳＲＳリソースグループ／セットに関連付けられているＴＡ値は、選択されたＣＳＩ−ＲＳリソースに基づいて決定されてもよい。例えば、第１及び第２のＣＳＩ−ＲＳリソースを含む２つのＣＳＩ−ＲＳリソースがＳＲＳリソースグループ／セットに関連付けられていると仮定する。端末デバイス１２０が第１のＣＳＩ−ＲＳリソースを選択する場合、第１のＴＡ値ＴＴＡ−１がＳＲＳリソースグループ／セットに関連付けられていることを意味する。その他、端末デバイスが第２のＣＳＩ−ＲＳリソースを選択する場合、第２のＴＡ値ＴＴＡ−２がＳＲＳリソースグループ／セットに関連付けられていることを意味する。別の例では、1つのＣＳＩ−ＲＳリソースのみがＳＲＳリソースグループ／セットに関連付けられるように構成される場合、第１のＴＡ値ＴＴＡ−１がＳＲＳリソースグループ／セットに関連付けられていることを意味する。
【００６１】
いくつかの実施形態では、１つのＳＲＳリソースグループ／セットは、１つ又は２つのＣＳＩ−ＲＳリソースに関連付けられてもよい。追加のフィールド「ＴＡ−ａ」はＣＳＩ−ＲＳリソースに対して構成されてもよく、フィールド「ＴＡ−ａ」は、ＣＳＩ−ＲＳリソースに関連付けられているＳＲＳリソースグループ／セットに関連付けられているＴＡ値を示してもよい。いくつかの実施形態では、ＳＲＳリソースグループ／セットに関連付けられているＴＡ値は、選択されたＣＳＩ−ＲＳリソースに基づいて決定されてもよい。例えば、端末デバイス１２０が２つのＣＳＩ−ＲＳリソースのうちの１つを選択し、且つこのフィールド「ＴＡ−ａ」の値が「Ａ」である場合、第１のＴＡ値ＴＴＡ−１がＳＲＳリソースグループ／セットに関連付けられていることを意味する。その他、このフィールド「ＴＡ−ａ」の値が「Ｂ」である場合、第２のＴＡ値ＴＴＡ−２がＳＲＳリソースグループ／セットに関連付けられていることを意味する。例えば、（「Ａ」、「Ｂ」）は、（０、１）、（有効、無効）、（存在、存在しない）又は（真、偽）であってもよい。別の例として、ＣＳＩ−ＲＳリソースに対して追加のフィールド「ＴＡ−ａ」が構成されない場合、第１のＴＡ値ＴＴＡ−１がＳＲＳリソースグループ／セットに関連付けられていることを意味する。
【００６２】
いくつかの実施形態では、１つのＳＲＳリソースグループ／セットは、１つ又は２つのＣＳＩ−ＲＳリソースに関連付けられてもよい。追加のフィールド「ＴＡ−ａ」はＣＳＩ−ＲＳリソースに対して構成されてもよく、フィールド「ＴＡ−ａ」は、ＣＳＩ−ＲＳリソースに関連付けられているＳＲＳリソースグループ／セットに関連付けられているＴＡ値を示してもよい。いくつかの実施形態では、ＳＲＳリソースグループ／セットに関連付けられているＴＡ値は、選択されたＣＳＩ−ＲＳリソースに基づいて決定されてもよい。例えば、このフィールド「ＴＡ−ａ」がＣＳＩ−ＲＳリソースに対して構成されない、又はＣＳＩ−ＲＳリソースに対して構成されているフィールド「ＴＡ−ａ」の値が「ＦＡＬＳＥ」である場合、第１のＴＡ値ＴＴＡ−１がＳＲＳリソースグループ／セットに関連付けられていることを意味する。その他、このフィールド「ＴＡ−ａ」が ＣＳＩ−ＲＳリソースに対して構成されている、又はＣＳＩ−ＲＳリソースに対して構成されているフィールド「ＴＡ−ａ」の値が「Ｃ」或いは「ＴＲＵＥ」である場合、第２のＴＡ値ＴＴＡ−２がＳＲＳリソースグループ／セットに関連付けられていることを意味する。例えば、「Ｃ」は、「０」、「１」、「有効」、「存在」、「真」のような任意の値であってもよい。
【００６３】
図４は、本開示のいくつかの実施形態に係る、上記のような異なるＳＲＳリソースとそれぞれのＴＡ値との間の関連の例を示す。図４に示すように、第１グループのＳＲＳリソース｛Ｓ１、Ｓ２...ＳＭ｝は、第１のＴＡ値ＴＴＡ−１に関連付けられるとともに、第２グループのＳＲＳリソース｛ＳＭ＋１、ＳＭ＋２...ＳＮ｝は、第２のＴＡ値ＴＴＡ−２に関連付けられてもよい。ここで、Ｍ及びＮは整数であり、Ｎ＞Ｍであり、Ｓｉ（ここで、ｉは整数であり、１≦ｉ≦Ｎである）はＳＲＳリソースの識別子を表す。
【００６４】
いくつかの実施形態では、ＳＲＩフィールドによって示されるＳＲＳリソースが同じＴＡ値（例えば、ＴＴＡ−１又はＴＴＡ−２）に関連付けられている場合、これらのＳＲＳリソースでのアップリンク伝送のタイミングは、当該同じＴＡ値に基づいて調整されることができる。上述したように、第１のＴＡ値ＴＴＡ−１は、第１のＴＲＰ１３０−１を介するアップリンク伝送のタイミングを調整するように構成され、第２のＴＡ値ＴＴＡ−２は、第２のＴＲＰ１３０−２を介するアップリンク伝送のタイミングを調整するように構成されてもよい。例えば、ＳＲＩフィールドによって示されるＳＲＳリソースの全てが第１グループのＳＲＳリソース｛Ｓ１、Ｓ２...ＳＭ｝に含まれる場合、これらのＳＲＩフィールドによって示されるＳＲＳリソースは、第１のＴＲＰ１３０−１を介するアップリンク伝送に使用されてもよい。この場合、第１のＴＲＰ１３０−１を介するこれらのＳＲＳリソースでのアップリンク伝送のタイミングは、第１のＴＡ値ＴＴＡ−１に基づいて調整されることができる。図５Ａは、そのような実施形態の一例を示す。代替的に、ＳＲＩフィールドによって示されるＳＲＳリソースの全てが第２グループのＳＲＳリソース｛ＳＭ＋１、ＳＭ＋２...ＳＮ｝に含まれる場合、これらのＳＲＩフィールドによって示されるＳＲＳリソースは、第２のＴＲＰ１３０−２を介するアップリンク伝送に使用されてもよい。この場合、第２のＴＲＰ１３０−２を介するこれらのＳＲＳリソースでのアップリンク伝送のタイミングは、第２のＴＡ値ＴＴＡ−２に基づいて調整されることができる。図５Ｂは、そのような実施形態の一例を示す。
【００６５】
いくつかの実施形態では、ＳＲＩフィールドによって示されるＳＲＳリソースが異なるＴＡ値に関連付けられている（例えば、一部のＳＲＳリソースが第１のＴＡ値ＴＴＡ−１に関連付けられ、他のＳＲＳリソースが第２のＴＡ値ＴＴＡ−２に関連付けられている）場合、これらのＳＲＳリソースでのアップリンク伝送のタイミングは、それぞれ異なるＴＡ値に基づいて調整されることができる。上述したように、第１のＴＡ値ＴＴＡ−１は、第１のＴＲＰ１３０−１を介するアップリンク伝送のタイミングを調整するように構成され、第２のＴＡ値ＴＴＡ−２は、第２のＴＲＰ１３０−２を介するアップリンク伝送のタイミングを調整するように構成されてもよい。例えば、ＳＲＩフィールドによって示されるＳＲＳリソースは、第１グループのＳＲＳリソース｛Ｓ１、Ｓ２...ＳＭ｝に含まれる第１のＳＲＳリソースと、第２グループのＳＲＳリソース｛ＳＭ＋１、ＳＭ＋２...ＳＮ｝に含まれる第２のＳＲＳリソースと、を含む場合、第１のＳＲＳリソースが第１のＴＲＰ１３０−１を介するアップリンク伝送に使用され、第２のＳＲＳリソースが第２のＴＲＰ１３０−２を介するアップリンク伝送に使用されてもよい。この場合、第１のＴＲＰ１３０−１を介する第１のＳＲＳリソースでのアップリンク伝送のタイミングは、第１のＴＡ値ＴＴＡ−１に基づいて調整され、第２のＴＲＰ１３０−２を介する第２のＳＲＳリソースでのアップリンク伝送のタイミングは、第２のＴＡ値ＴＡ−２に基づいて調整されることができる。図５Ｃは、そのような実施形態の一例を示す。
【００６６】
いくつかの実施形態では、ＵＬ伝送に適用される少なくとも１つのプロシージャは、ＰＵＳＣＨでのアップリンク伝送に使用される少なくとも１つのＳＲＳリソースの指示に基づいて決定されることができる。例えば、ネットワークデバイス１１０から、ＰＵＳＣＨに関連付けられたＤＭＲＳを伝送するために使用される少なくとも１つのＤＭＲＳポートの指示を受信したことに応答して、端末デバイス１２０は、この少なくとも１つのＤＭＲＳポートに基づいて、ＰＵＳＣＨでのアップリンク伝送に適用される少なくとも１つのプロシージャを決定してもよい。例えば、コード分割多重化（ＣＤＭ：Code Division Multiplexing）技術に基づいて多重化された複数のＤＭＲＳポートは、ＰＵＳＣＨに関連付けられたＤＭＲＳを伝送するために端末デバイス１２０に対して構成されてもよく、複数のＤＭＲＳポートは、１つのＴＲＰのみに関連付けられてもよい。この場合、端末デバイス１２０が異なるＴＡ値を同時に示すＳＲＩで構成されることは期待されない。例えば、この場合、第１及び第２のＴＡ値ＴＴＡ−１及びＴＴＡ−２の両方が、ネットワークデバイス１１０から受信したＳＲＩによって示されると、第１のＴＡ値ＴＴＡ−１のみがアップリンク伝送のタイミングを調整するように使用され、一方、第２のＴＡ値ＴＴＡ−２が無視される可能性がある。図６は、そのような実施形態の一例を示す。図６に示すように、ＤＭＲＳポート｛０、１｝は、同じＴＲＰに関連付けられるので、１つのＴＡ値のみが端末デバイス１２０によって想定されるべきである。ＤＭＲＳポート｛２、３｝も、同じＴＲＰに関連付けられるので、１つのＴＡ値のみが端末デバイス１２０によって想定される。
【００６７】
いくつかの実施形態では、非コードブックベースのＵＬ伝送の場合、端末デバイス１２０は、関連するチャネル状態情報参照信号（ＣＳＩ−ＲＳ：Channel State Information-Reference Signal）の測定に基づいて、ＵＬ伝送に使用されるプリコーダを決定してもよい。ＵＬ伝送に使用されるプリコーダを決定すると、端末デバイス１２０は、ＳＲＳ伝送のために構成されたＳＲＳリソースセットを介して、プリコードされたＳＲＳをネットワークデバイス１１０に伝送してもよい。ＳＲＳは、ネットワークデバイス１１０によって受信され、且つアップリンクチャネル推定を実行するために使用されることができ、これにより、ネットワークデバイス１１０は、アップリンクチャネル推定の結果に基づいて、リソース割り当てを実行し、且つＵＬ伝送（例えば、ＰＵＳＣＨ伝送）用の伝送パラメータを構成することができる。この場合、ＵＬ伝送に適用される少なくとも１つのプロシージャは、プリコーダを計算するための少なくとも１つのＣＳＩ−ＲＳリソースの指示に基づいて決定されることができる。例えば、ネットワークデバイス１１０から、ＰＵＳＣＨでのアップリンク伝送に使用されるプリコーディング情報を決定するための少なくとも１つのＣＳＩ−ＲＳリソースの指示を受信したことに応答して、端末デバイス１２０は、この少なくとも１つのＣＳＩ−ＲＳリソースに基づいて、ＰＵＳＣＨでのアップリンク伝送に適用される少なくとも１つのプロシージャを決定してもよい。そして、この少なくとも１つのプロシージャに関連付けられた対応するＴＡ値は、少なくとも１つのＣＳＩ−ＲＳリソースに関連付けられたプリコードされたＳＲＳのアップリンク伝送のタイミングを調整するために使用されることができる。
【００６８】
いくつかの実施形態では、ＵＬ伝送に適用される少なくとも１つのプロシージャは、ＰＵＣＣＨ構成に基づいて決定されることができる。例えば、ＰＵＳＣＨでのアップリンク伝送がＤＣＩフォーマット０＿０のＤＣＩによってトリガされ、且つ端末デバイス１２０が、上位層パラメータ「ＰＵＣＣＨ−Ｓｐａｔｉａｌｒｅｌａｔｉｏｎｉｎｆｏ」によってサービングセルのアクティブＵＬ帯域幅部分（ＢＷＰ：bandwidth part）内の最も低いインデックスを有するＰＵＣＣＨリソースに対する空間設定が提供される場合、端末デバイス１２０は、ＰＵＣＣＨリソースに基づいて、ＰＵＳＣＨでのアップリンク伝送を実行してもよい。この場合、端末デバイス１２０は、第１のプロシージャ及び第２のプロシージャから、サービングセルのアクティブＵＬ帯域幅部分（ＢＷＰ）内の最も低いインデックスを有するＰＵＣＣＨリソースに基づいて、ＰＵＳＣＨでのアップリンク伝送に適用される第３のプロシージャを決定してもよい。例えば、端末デバイス１２０は、サービングセルのアクティブＵＬ帯域幅部分（ＢＷＰ）内の最も低いインデックスを有するＰＵＣＣＨリソースに基づいて、ＰＵＳＣＨでのアップリンク伝送に適用される第１のＴＡ値及び第２のＴＡ値のうちの１つを決定してもよい。さらに、ＰＵＣＣＨでのアップリンク伝送に関して、端末デバイス１２０は、第１のプロシージャ及び第２のプロシージャから、ＰＵＣＣＨでのアップリンク伝送に使用されるＰＵＣＣＨリソースに基づいて、ＰＵＣＣＨでのアップリンク伝送に適用される第４のプロシージャを決定してもよい。例えば、端末デバイス１２０は、ＰＵＣＣＨでのアップリンク伝送に使用されるＰＵＣＣＨリソースに基づいて、ＰＵＣＣＨでのアップリンク伝送に適用される第１のＴＡ値及び第２のＴＡ値のうちの１つを決定してもよい。
【００６９】
いくつかの実施形態では、上位層パラメータ「ＰＵＣＣＨ−Ｓｐａｔｉａｌｒｅｌａｔｉｏｎｉｎｆｏ」を定義する情報要素に、第１のＴＡ値及び第２のＴＡ値のどちらがタイミング調整に使用されるかを示す追加のファイルを導入することができる。このように、上位層パラメータ「ＰＵＣＣＨ−Ｓｐａｔｉａｌｒｅｌａｔｉｏｎｉｎｆｏ」が端末デバイス１２０に対して構成されると、端末デバイス１２０は、上位層パラメータ「ＰＵＣＣＨ−Ｓｐａｔｉａｌｒｅｌａｔｉｏｎｉｎｆｏ」に含まれる追加のフィールドに基づいて、第１のＴＡ値と第２のＴＡ値のどちらがタイミング調整に使用されるかを決定することができる。
【００７０】
図７Ａは、上位層パラメータ「ＰＵＣＣＨ−Ｓｐａｔｉａｌｒｅｌａｔｉｏｎｉｎｆｏ」を定義する情報要素７１０の一例を示す。図７Ａに示すように、情報要素７１０には、第１のＴＡ値及び第２のＴＡ値のどちらがタイミング調整に使用されるかを示す追加のフィールド「ＴＡ−ａ」が含まれる。例えば、このフィールド「ＴＡ−ａ」の値が「Ａ」である場合、第１のＴＡ値ＴＴＡ−１がタイミング調整に使用されることを意味する。その他、このフィールド「ＴＡ−ａ」の値が「Ｂ」である場合、第２のＴＡ値ＴＴＡ−２がタイミング調整に使用されることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素７１０に存在しない場合、第１のＴＡ値ＴＴＡ−１がタイミング調整に使用されることを意味する。
【００７１】
図７Ｂは、上位層パラメータ「ＰＵＣＣＨ−Ｓｐａｔｉａｌｒｅｌａｔｉｏｎｉｎｆｏ」を定義する情報要素７２０の別の例を示す。図７Ｂに示すように、第１のＴＡ値及び第２のＴＡ値のどちらがタイミング調整に使用されるかを示す追加のフィールド「ＴＡ−ａ」は情報要素７２０に導入されてもよい。例えば、このフィールド「ＴＡ−ａ」が情報要素７２０に存在しない、又はフィールド「ＴＡ−ａ」の値が「ＦＡＬＳＥ」である場合、第１のＴＡ値ＴＴＡ−１がタイミング調整に使用されることを意味する。その他、このフィールド「ＴＡ−ａ」が情報要素７２０に存在する、又はフィールド「ＴＡ−ａ」の値が「Ｃ」或いは「ＴＲＵＥ」である場合、第２のＴＡ値ＴＴＡ−２がタイミング調整に使用されることを意味する。例えば、「Ｃ」は、０、１、有効、存在又は真などの任意の値であってもよい。
【００７２】
図７Ｃは、上位層パラメータ「ＰＵＣＣＨ−ＲｅｓｏｕｒｃｅＳｅｔ」を定義する情報要素７３０の一例を示す図である。図７Ｃに示すように、情報要素７３０には、第１のＴＡ値及び第２のＴＡ値のどちらがタイミング調整に使用されるかを示す追加のフィールド「ＴＡ−ａ」が含まれる。例えば、このフィールド「ＴＡ−ａ」の値が「Ａ」である場合、第１のＴＡ値ＴＴＡ−１がタイミング調整に使用されることを意味する。その他、このフィールド「ＴＡ−ａ」の値が「Ｂ」である場合、第２のＴＡ値ＴＴＡ−２がタイミング調整に使用されることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素７３０に存在しない場合、第１のＴＡ値ＴＴＡ−１がタイミング調整に使用されることを意味する。
【００７３】
図７Ｄは、上位層パラメータ「ＰＵＣＣＨ−ＲｅｓｏｕｒｃｅＳｅｔ」を定義する情報要素７４０の別の例を示す。図７Ｄに示すように、第１のＴＡ値及び第２のＴＡ値のどちらがタイミング調整に使用されるかを示す追加のフィールド「ＴＡ−ａ」が情報要素７４０に導入されてもよい。例えば、このフィールド「ＴＡ−ａ」が情報要素７４０に存在しない、又はフィールド「ＴＡ−ａ」の値が「ＦＡＬＳＥ」である場合、第１のＴＡ値ＴＴＡ−１がタイミング調整に使用されることを意味する。その他、このフィールド「ＴＡ−ａ」が情報要素７４０に存在する、又はフィールド「ＴＡ−ａ」の値が「Ｃ」或いは「ＴＲＵＥ」である場合、第２のＴＡ値ＴＴＡ−２がタイミング調整に使用されることを意味する。例えば、「Ｃ」は、０、１、有効、存在又は真などの任意の値であってもよい。
【００７４】
図７Ｅは、上位層パラメータ「ＰＵＣＣＨ−Ｒｅｓｏｕｒｃｅ」を定義する情報要素７５０の一例を示す。図７Ｅに示すように、情報要素７５０には、第１のＴＡ値及び第２のＴＡ値のどちらがタイミング調整に使用されるかを示す追加のフィールド「ＴＡ−ａ」が含まれている。例えば、このフィールド「ＴＡ−ａ」の値が「Ａ」である場合、第１のＴＡ値ＴＴＡ−１がタイミング調整に使用されることを意味する。その他、このフィールド「ＴＡ−ａ」の値が「Ｂ」である場合、第２のＴＡ値ＴＴＡ−２がタイミング調整に使用されることを意味する。例えば、（「Ａ」、「Ｂ」）は、（０、１）、（有効、無効）、（存在、存在しない）又は（真、偽）であってもよい。別の例として、追加のフィールド「ＴＡ−ａ」が情報要素７５０に存在しない場合、第１のＴＡ値ＴＴＡ−１がタイミング調整に使用されることを意味する。
【００７５】
図７Ｆは、上位層パラメータ「ＰＵＣＣＨ−Ｒｅｓｏｕｒｃｅ」を定義する情報要素７６０の別の例を示す。図７Ｆに示すように、第１のＴＡ値及び第２のＴＡ値のどちらがタイミング調整に使用されるかを示す追加のフィールド「ＴＡ−ａ」が情報要素７６０に導入されてもよい。例えば、このフィールド「ＴＡ−ａ」が情報要素７６０に存在しない、又はフィールド「ＴＡ−ａ」の値が「ＦＡＬＳＥ」である場合、第１のＴＡ値ＴＴＡ−１がタイミング調整に使用されることを意味する。その他、このフィールド「ＴＡ−ａ」が情報要素７６０に存在する、又はフィールド「ＴＡ−ａ」の値が「Ｃ」或いは「ＴＲＵＥ」である場合、第２のＴＡ値ＴＴＡ−２がタイミング調整に使用されることを意味する。例えば、「Ｃ」は、０、１、有効、存在又は真などの任意の値であってもよい。
【００７６】
いくつかの実施形態では、ＵＬ伝送に適用される少なくとも１つのプロシージャは、ランダムアクセスプロシージャをトリガするために使用されることもできるＰＤＣＣＨオーダーに基づいて決定されることができる。例えば、第１のプロシージャ及び第２のプロシージャのどちらが適用されるかを示す１つの追加ビットは、ＰＤＣＣＨオーダーに導入されることができる。代替的又は追加的に、いくつかの実施形態では、同期信号ブロック（ＳＳＢ：Synchronization Signal Block）インデックス及び／又はＣＳＩ−ＲＳリソース（又はリソースセット）は、異なるグループに分割されることができ、各グループはセル内の個別のタイミング調整に対応することができる。これにより、ＳＳＢインデックス及び／又はＣＳＩ−ＲＳリソースのグループは、個別のＴＡ値を暗黙的に示すことができる。代替的又は追加的に、いくつかの実施形態では、２つのＴＡＧ識別子（ＴＡＧ−ＩＤ）は１つのセルに対して構成されることができ、各ＴＡＧ−ＩＤは、セル内の個別のタイミング調整に対応することができる。これにより、ＴＡＧ−ＩＤは、個別のＴＡ値を暗黙的に示すことができる。
【００７７】
図２に戻り、２２０において、端末デバイス１２０は、少なくとも１つのプロシージャに対して少なくとも１つのＴＡ値を決定する。次に、２３０において、端末デバイス１２０は、決定された少なくとも１つのＴＡ値に基づいてアップリンク伝送のタイミングを調整することによって、少なくとも１つのプロシージャをアップリンク伝送に適用する。
【００７８】
いくつかの実施形態では、第１のプロシージャが、第１のＴＲＰ１３０−１を介する第１のＵＬ伝送に適用されると決定された場合、端末デバイス１２０は、第１のＴＡ値ＴＴＡ−１を計算してもよい。そして、端末デバイス１２０は、第１のＴＡ値ＴＴＡ−１に基づいて第１のＵＬ伝送のタイミングを調整してもよい。代替的又は追加的に、いくつかの実施形態では、第２のプロシージャが、第２のＴＲＰ１３０−２を介する第２のＵＬ伝送に適用されると判定された場合、端末デバイス１２０は、第２のＴＡ値ＴＴＡ−２を計算してもよい。そして、端末デバイス１２０は、第２のＴＡ値ＴＴＡ−２に基づいて第２のＵＬ伝送のタイミングを調整してもよい。
【００７９】
いくつかの実施形態では、例えば、マルチＴＲＰ伝送の場合、ＴＡ測定及び調整用の２つの異なるプロシージャは、１つのセルでサポートされることができる。例えば、第１のプロシージャは、第１のＴＡ値ＴＴＡ−１を決定するとともに、第１のＴＡ値ＴＴＡ−１に基づいてタイミング調整を行うために使用されることができ、第２のプロシージャは、第２のＴＡ値ＴＴＡ−２を決定するとともに、第２のＴＡ値ＴＴＡ−２に基づいてタイミング調整を行うために使用されることができる。例えば、第１のＴＡ値ＴＴＡ−１は、ランダムアクセス応答からのＴＡコマンド、媒体アクセス制御（ＭＡＣ：Medium Access Control）制御要素（ＣＥ：Control Element）からのＴＡコマンド、及び以前に第１のプロシージャに対して決定されたＴＡ値のうちの少なくとも１つに基づいて決定されることができる。例えば、第２のＴＡ値ＴＴＡ−２は、ランダムアクセス応答からのＴＡコマンド、ＭＡＣ  ＣＥからのＴＡコマンド、以前に第１のプロシージャに対して決定されたＴＡ値、以前に第２のプロシージャに対して決定されたＴＡ値、及び第１のＴＲＰ１３０−１から受信した第１のダウンリンク信号と第２のＴＲＰ１３０−２から受信した第２のダウンリンク信号との間のタイミング差のうちの少なくとも１つに基づいて決定されることができる。
【００８０】
いくつかの実施形態では、第１のプロシージャに関連付けられた第１のＴＡ値ＴＴＡ−１が適用されると決定された場合、第１のＴＡ値ＴＴＡ−１を決定するとともに、第１のＴＡ値ＴＴＡ−１に基づいてタイミング調整を行うための第１のプロシージャは、端末デバイス１２０によって実行されることができる。いくつかの実施形態では、ネットワークデバイス１１０から、タイミングアドバンスコマンド（例えば、１２ビット）を含むランダムアクセス応答（ＲＡＲ：Random Access Response）を受信したことに応答して、端末デバイス１２０は、以下の式（１）のように、ＲＡＲに含まれるタイミングアドバンスコマンドに基づいて第１のＴＡ値ＴＴＡ−１を決定してもよい。
ＴＴＡ−１＝ＴＡ−１・１６・６４／２μ        （１）
ここで、ＴＡ−１は、適用しようとする第１のプロシージャの量を制御するための１２ビットのタイミングアドバンスコマンドで示されるインデックス値を表す。例えば、μは整数であり、且つμ＞０である。
【００８１】
代替的に、いくつかの他の実施形態では、ネットワークデバイス１１０から、タイミングアドバンスコマンド（例えば、６ビット）を含むＭＡＣ  ＣＥを受信したことに応答して、端末デバイス１２０は、以下の式（２）のように、ＭＡＣ  ＣＥに含まれるタイミングアドバンスコマンド（以下の説明では「ＴＡコマンドＭＡＣ  ＣＥ」とも呼ばれる）に基づいて第１のＴＡ値ＴＴＡ−１を決定してもよい。
ＴＴＡ−１＿ｎｅｗ＝ＴＴＡ−１＿ｏｌｄ＋（ＴＡ−１−３１）・１６・６４／２μ      （２）
ここで、ＴＡ−１は、適用しようとする第１のプロシージャの量を制御するためのＭＡＣ  ＣＥにおける６ビットのタイミングアドバンスコマンドで示されるインデックス値を表す。ＴＴＡ−１＿ｏｌｄは、前回第１のプロシージャで決定された第１のＴＡ値ＴＴＡ−１を表し、ＴＴＡ−１＿ｎｅｗは、今回決定される第１のＴＡ値ＴＴＡ−１を表す。例えば、μは整数であり、且つμ＞０である。
【００８２】
いくつかの実施形態では、第２のプロシージャに関連付けられた第２のＴＡ値ＴＴＡ−２が適用されると決定された場合、第２のＴＡ値ＴＴＡ−２を決定するとともに、第２のＴＡ値ＴＴＡ−２に基づいてタイミング調整を行うための第２のプロシージャは、端末デバイス１２０によって実行されることができる。いくつかの実施形態では、第２のプロシージャにおける初期のＴＡ調整の場合、第２のＴＡ値ＴＴＡ−２は、ＲＡＲに含まれるタイミングアドバンスコマンド又はＭＡＣ  ＣＥに含まれるタイミングアドバンスコマンドに基づいて決定されることができる。例えば、いくつかの実施形態では、第２のプロシージャにおける初期のＴＡ調整の場合、ネットワークデバイス１１０から、タイミングアドバンスコマンド（例えば、１２ビット）を含むランダムアクセス応答（ＲＡＲ）を受信したことに応答して、端末デバイス１２０は、以下の式（３）のように、ＲＡＲに含まれるタイミングアドバンスコマンドに基づいて第２のＴＡ値ＴＴＡ−２を決定してもよい。
ＴＴＡ−２＝ＴＡ−２・１６・６４／２μ              （３）
ここで、ＴＡ−２は、適用しようとする第２のプロシージャの量を制御するための１２ビットのタイミングアドバンスコマンドで示されるインデックス値を表す。例えば、μは整数であり、且つμ＞０である。
【００８３】
代替的に、いくつかの他の実施形態では、ネットワークデバイス１１０から、タイミングアドバンスコマンド（例えば、６ビット）を含むＭＡＣ  ＣＥを受信したことに応答して、端末デバイス１２０は、以下の式（４）のように、ＭＡＣ  ＣＥに含まれるタイミングアドバンスコマンドに基づいて第２のＴＡ値ＴＴＡ−２を決定してもよい。
ＴＴＡ−２＝ＴＴＡ＿ｏｌｄ＋（ＴＡ−２−３１）・１６・６４／２μ          （４）
ここで、ＴＡ−２は、適用しようとする第２のプロシージャの量を制御するためのＭＡＣ  ＣＥにおける６ビットのタイミングアドバンスコマンドで示されるインデックス値を表し、ＴＴＡ＿ｏｌｄは、第１のプロシージャで決定された最新のＴＡ値を表す。例えば、μは整数であり、且つμ＞０である。
【００８４】
いくつかの実施形態では、第２のプロシージャにおける後続のＴＡ調整の場合、第２のＴＡ値ＴＴＡ−２は、ＭＡＣ  ＣＥに含まれるタイミングアドバンスコマンドに基づいて決定されることができる。いくつかの他の実施形態では、ネットワークデバイス１１０から、タイミングアドバンスコマンド（例えば、６ビット）を含むＭＡＣ  ＣＥを受信したことに応答して、端末デバイス１２０は、以下の式（５）のように、ＭＡＣ  ＣＥに含まれるタイミングアドバンスコマンドに基づいて第２のＴＡ値ＴＴＡ−２を決定してもよい。
ＴＴＡ−２＿ｎｅｗ＝ＴＴＡ−２＿ｏｌｄ＋（ＴＡ−２−３１）・１６・６４／２μ      （５）
ここで、ＴＡ−２は、適用しようとする第２のプロシージャの量を制御するためのＭＡＣ  ＣＥにおける６ビットのタイミングアドバンスコマンドで示されるインデックス値を表す。ＴＴＡ−２＿ｏｌｄは、前回第２のプロシージャで決定された第２のＴＡ値ＴＴＡ−２を表し、ＴＴＡ−２＿ｎｅｗは、今回決定される第２のＴＡ値ＴＴＡ−２を表す。例えば、μは整数であり、且つμ＞０である。代替的に、いくつかの他の実施形態では、ネットワークデバイス１１０から、タイミングアドバンスコマンド（例えば、６ビット）を含むＭＡＣ  ＣＥを受信したことに応答して、端末デバイス１２０は、以下の式（６）のように、ＭＡＣ  ＣＥに含まれるタイミングアドバンスコマンドに基づいて第２のＴＡ値ＴＴＡ−２を決定してもよい。
ＴＴＡ−２＝ＴＴＡ＿ｏｌｄ＋（ＴＡ−２−３１）・１６・６４／２μ        （６）
ここで、ＴＡ−２は、適用しようとする第２のプロシージャの量を制御するためのＭＡＣ  ＣＥにおける６ビットのタイミングアドバンスコマンドで示されるインデックス値を表し、ＴＴＡ＿ｏｌｄは、第１のプロシージャで決定された最新のＴＡ値を表す。例えば、μは整数であり、且つμ＞０である。
【００８５】
いくつかの実施形態では、例えばマルチＴＲＰ伝送の場合、ＴＡ測定及び調整用の２つの異なるプロシージャは１つのセルでサポートされることができる。例えば、第１のプロシージャは、第１のＴＡ値ＴＴＡ−１を決定するとともに、第１のＴＡ値ＴＴＡ−１に基づいてタイミング調整を行うために使用され、第２のプロシージャは、第２のＴＡ値ＴＴＡ−２を決定し、第２のＴＡ値ＴＴＡ−２に基づいてタイミング調整を行うために使用されてもよい。
【００８６】
いくつかの実施形態では、第１のプロシージャに関連付けられた第１のＴＡ値ＴＴＡ−１が適用されると決定された場合、第１のＴＡ値ＴＴＡ−１を決定するとともに、第１のＴＡ値ＴＴＡ−１に基づいてタイミング調整を行うための第１のプロシージャは、端末デバイス１２０によって実行されることができる。いくつかの実施形態では、ネットワークデバイス１１０から、タイミングアドバイスコマンド（例えば、１２ビット）を含むランダムアクセス応答（ＲＡＲ）を受信したことに応答して、端末デバイス１２０は、上記式（１）のように、ＲＡＲに含まれるタイミングアドバイスコマンドに基づいて第１のＴＡ値ＴＴＡ−１を決定してもよい。代替的に、いくつかの他の実施形態では、ネットワークデバイス１１０から、タイミングアドバンスコマンド（例えば、６ビット）を含むＭＡＣ ＣＥを受信したことに応答して、端末デバイス１２０は、上記式（２）のように、ＭＡＣ ＣＥに含まれるタイミングアドバンスコマンドに基づいて第１のＴＡ値ＴＴＡ−１を決定してもよい。
【００８７】
いくつかの実施形態では、第２のプロシージャに関連付けられた第２のＴＡ値ＴＴＡ−２が適用されると判定された場合、第２のＴＡ値ＴＴＡ−２を決定するとともに、第２のＴＡ値ＴＴＡ−２に基づいてタイミング調整を行うための第２のプロシージャは、端末デバイス１２０によって実行されることができる。いくつかの実施形態では、第２のＴＡ値ＴＴＡ−２は、端末デバイス１２０によって自律的に決定されることができる。例えば、端末デバイス１２０は、第１のＴＲＰ１３０−１から受信した第１のダウンリンク信号と、第２のＴＲＰ１３０−２から受信した第２のダウンリンク信号との間のタイミング差を測定してもよい。第１及び第２のＤＬ信号のそれぞれは、ＤＬ参照信号（ＲＳ）又はＳＳＢであってもよい。端末デバイス１２０は、さらに以下の式（７）のように、決定された２つのＤＬ信号の間のタイミング差と、第１のプロシージャで決定された最新のＴＡ値とに基づいて、第２のＴＡ値ＴＴＡ−２を決定してもよい。
ＴＴＡ−２＝ＴＴＡ＿ｏｌｄ＋２・ΔＴＡ・１６・６４／２μ          （７）
ここで、ΔＴＡは、決定された２つのＤＬ信号の間のタイミング差を表し、ＴＴＡ＿ｏｌｄは、第１のプロシージャで決定された最新のＴＡ値を表す。例えば、μは整数であり、且つμ＞０である。
【００８８】
いくつかの実施形態では、例えばマルチＴＲＰ伝送の場合、ＴＡ測定及び調整用の２つの異なるプロシージャは１つのセルでサポートされることができる。例えば、第１のプロシージャは、第１のＴＡ値ＴＴＡ−１を決定するとともに、第１のＴＡ値ＴＴＡ−１に基づいてタイミング調整を行うために使用され、第２のプロシージャは、第２のＴＡ値ＴＴＡ−２を決定するとともに、第２のＴＡ値ＴＴＡ−２に基づいてタイミング調整を行うために使用されてもよい。いくつかの実施形態では、ネットワークデバイス１１０から端末デバイス１２０に伝送されるＴＡコマンドＭＡＣ  ＣＥは、２つの異なるプロシージャのうちの１つにそれぞれ対応する２つの個別のＴＡコマンドを含んでもよい。図８は、ＴＡコマンドＭＡＣ  ＣＥ８００の一例を示す。図８に示すように、ＭＡＣ  ＣＥ８００は、タイミングアドバンスコマンド８１０及びタイミングアドバンスコマンド８２０を含んでもよい。タイミングアドバンスコマンド８１０は、第１のプロシージャに関連付けられて、第１のプロシージャの量を制御するために使用されるインデックス値を示してもよい。タイミングアドバンスコマンド８２０は、第２のプロシージャに関連付けられて、第２のプロシージャの量を制御するために使用されるインデックス値を示してもよい。いくつかの実施形態では、１つのセルで異なるＴＡ値が構成される端末デバイス１２０がＭＡＣ  ＣＥ８００を受信しなかった場合、端末デバイス１２０は、第１のプロシージャで決定された第１のＴＡ値ＴＴＡ−１に基づいて、アップリンク伝送のタイミングを調整してもよい。
【００８９】
いくつかの実施形態では、アップリンク伝送のタイミングを調整するために、端末デバイス１２０からのＵＬ無線フレームの伝送は、対応するＤＬ無線フレームの伝送開始よりも一定時間（個別のＴＡ値によって示される）前で開始すべきである。いくつかの実施形態では、複数のＴＡプロシージャがサポートされている場合、対応するＤＬ無線フレームの位置は、対応するＤＬ  ＲＳから推定されるタイミングに基づくものであってもよい。対応するＤＬ  ＲＳの例として、パスロス推定用のＤＬ  ＲＳ又は準コロケーションされた（ＱＣＬ（quasi-co-locationed）化された）ＤＬ  ＲＳが挙げられるが、これらに限定されない。
【００９０】
いくつかの実施形態では、第１のＴＲＰ１３０−１及び第２のＴＲＰ１３０−２は、異なるセルに属してもよい（例えば、それぞれ異なるセルインデックスに関連付けられている）。この場合、１つのＴＡプロシージャ及び１つのＴＡ値は、各セルに対して十分である。しかし、この場合、共同伝送をサポートするために、ＤＣＩは、サービングセルスケジューリング及びクロスセルスケジューリングの両方を示すべきである。いくつかの実施形態では、例えば、２つのセルが同じＤＣＩでスケジュールされているか否かを示すために、１つの追加ビットがＤＣＩフォーマット０＿１又はＤＣＩフォーマット１＿１に導入されてもよい。
【００９１】
図９は、本開示のいくつかの実施形態に係る例示的な方法９００のフローチャートを示す。方法９００は、図１Ａに示すネットワークデバイス１１０で実施されることができる。方法９００は、図示されない追加の動作を含み、及び／又は図示されているいくつかの動作を省略してもよく、本開示の範囲はこの点で限定されないことを理解されたい。検討の目的のために、方法９００について、図１Ａを参照して、ネットワークデバイス１１０の観点から説明する。
【００９２】
９１０において、ネットワークデバイス１１０が端末デバイス１２０にサービスを提供するためにサービングセル１０２を提供し、且つサービングセル１０２が少なくともアップリンク伝送のタイミングを調整するための第１のプロシージャ、及びアップリンク伝送のタイミングを調整するための第２のプロシージャで構成されることに応答して、第１のプロシージャ及び第２のプロシージャから、アップリンク伝送に適用される少なくとも１つのプロシージャを決定する。
【００９３】
９２０において、ネットワークデバイス１１０は、端末デバイス１２０が少なくとも１つのプロシージャをアップリンク伝送に適用するように、端末デバイス１２０に少なくとも１つのプロシージャを示す。
【００９４】
いくつかの実施形態では、ネットワークデバイスは、端末デバイスと通信するために、第１のＴＲＰ１３０−１及び第２のＴＲＰ１３０−２と接続され、第１及び第２のＴＲＰ１３０−１及び１３０−２は、サービングセル１０２に含まれる。いくつかの実施形態では、第１のプロシージャは、第１のＴＲＰ１３０−１を介するアップリンク伝送のタイミングを調整するように構成され、第２のプロシージャは、第２のＴＲＰ１３０−２を介するアップリンク伝送のタイミングを調整するように構成される。
【００９５】
いくつかの実施形態では、ネットワークデバイス１１０は、アップリンク伝送に関連付けられた少なくとも１つのリソースに関する情報を端末デバイス１２０に伝送することによって、少なくとも１つのプロシージャを示してもよい。
【００９６】
いくつかの実施形態では、ネットワークデバイス１１０は、ＰＵＳＣＨでのアップリンク伝送に適用される少なくとも１つのプロシージャを決定してもよい。ネットワークデバイス１１０は、ＰＵＳＣＨでのアップリンク伝送に使用される少なくとも１つのＳＲＳリソースの指示を端末デバイスに伝送することによって、少なくとも１つのプロシージャを示してもよい。
【００９７】
いくつかの実施形態では、ネットワークデバイス１１０は、ＰＵＳＣＨでのアップリンク伝送に適用される少なくとも１つのプロシージャを決定してもよい。ネットワークデバイス１１０は、ＰＵＳＣＨに関連付けられたＤＭＲＳを伝送するために使用される少なくとも１つのＤＭＲＳポートの指示を端末デバイス１２０に伝送することによって、少なくとも１つのプロシージャを示してもよい。
【００９８】
いくつかの実施形態では、ネットワークデバイス１１０は、ＰＵＳＣＨでのアップリンク伝送に適用される少なくとも１つのプロシージャを決定してもよい。ネットワークデバイス１１０は、ＰＵＳＣＨでのアップリンク伝送に使用されるプリコーディング情報を決定するための少なくとも１つのＣＳＩ−ＲＳリソースの指示を端末デバイス１２０に伝送することによって、少なくとも１つのプロシージャを指示してもよい。
【００９９】
いくつかの実施形態では、ネットワークデバイス１１０は、ＰＵＳＣＨでのアップリンク伝送に適用される第３のプロシージャと、ＰＵＣＣＨでのアップリンク伝送に適用される第４のプロシージャとを決定してもよい。ネットワークデバイス１１０は、ＰＵＣＣＨでの伝送用の構成（コンフィグレーション）を端末デバイス１２０に伝送することによって、少なくとも１つのプロシージャを示してもよい。
【０１００】
いくつかの実施形態では、ネットワークデバイス１１０は、第１のプロシージャに対する第１のＴＡ値を示す第１のＴＡコマンドと、第２のプロシージャに対する第２のＴＡ値を示す第２のＴＡコマンドと、を端末デバイスに伝送してもよい。これにより、端末デバイス１２０は、第１のＴＡ値及び第２のＴＡ値の少なくとも一方に基づいてアップリンク伝送のタイミングを調整することによって、少なくとも１つのプロシージャをアップリンク伝送に適用することになる。
【０１０１】
いくつかの実施形態では、第１及び第２のＴＡコマンドは、ＲＡＲ及びＭＡＣ  ＣＥの少なくとも１つを介して伝送される。
【０１０２】
図１０は、本開示の実施形態の実施に適するデバイス１０００の簡略的なブロック図である。デバイス１０００は、図１Ａ〜１Ｂに示すネットワークデバイス１１０又は端末デバイス１２０のさらなる例示的な実施形態と見なされることができる。従って、デバイス１０００は、ネットワークデバイス１１０又は端末デバイス１２０の少なくとも一部において、又はその一部として実施されることができる。
【０１０３】
図示されるように、デバイス１０００は、プロセッサ１０１０と、プロセッサ１０１０に接続されたメモリ１０２０と、プロセッサ１０１０に接続された適切な伝送機（ＴＸ）及び受信機（ＲＸ）１０４０と、ＴＸ／ＲＸ１０４０に接続された通信インターフェースとを含む。メモリ１０１０は、プログラム１０３０の少なくとも一部を格納する。ＴＸ／ＲＸ１０４０は、双方向通信用である。ＴＸ／ＲＸ１０４０は、通信を容易にするために少なくとも１つのアンテナを有するが、実際には、本願で言及されるアクセスノードは複数あってもよい。通信インターフェースは、ｅＮＢ間の双方向通信用のＸ２インターフェース、モビリティマネジメントエンティティ（ＭＭＥ：Mobility Management Entity）／サービングゲートウェイ（Ｓ−ＧＷ：Serving Gateway）とｅＮＢとの間の通信用のＳ１インターフェース、ｅＮＢとリレーノード（ＲＮ）との間の通信用のＵｎインターフェース、又はｅＮＢと端末デバイスとの間の通信用のＵｕインターフェースなど、他のネットワーク要素との通信に必要な任意のインターフェースを表してもよい。
【０１０４】
プログラム１０３０は、関連するプロセッサ１０１０によって実行されると、デバイス１０００が、本明細書で図１から図９を参照して説明したように、本開示の実施形態に従って動作することを可能にするプログラム命令を含むと想定される。本明細書の実施形態は、デバイス１０００のプロセッサ１０１０によって実行可能なコンピュータソフトウェアにより、又はハードウェアにより、又はソフトウェアとハードウェアとの組み合わせにより実施されてもよい。プロセッサ１０１０は、本開示の様々な実施形態を実施するように構成されてもよい。さらに、プロセッサ１０１０とメモリ１０２０の組み合わせは、本開示の様々な実施形態を実施するのに適した処理手段１０５０を形成してもよい。
【０１０５】
メモリ１０２０は、ローカル技術ネットワークに適した任意のタイプのものであってもよく、非限定的な例として、非一時的コンピュータ読み取り可能な記憶媒体、半導体系のメモリデバイス、磁気メモリデバイス及びシステム、光メモリデバイス及びシステム、固定メモリデバイス及びリムーバブルメモリなどの任意の適切なデータ記憶技術を使用して実施されてもよい。デバイス１０００には１つのメモリ１０２０のみが示されているが、デバイス１０００には物理的に別個である複数のメモリモジュールがあってもよい。プロセッサ１０１０は、ローカル技術ネットワークに適した任意のタイプのものであってもよく、非限定的な例として、汎用コンピュータ、専用コンピュータ、マイクロプロセッサ、ＤＳＰ（Digital Signal Processor）、及びマルチコアプロセッサアーキテクチャに基づくプロセッサのうちの１つ又は複数を含んでもよい。デバイス１０００は、メインプロセッサを同期させるクロックに時間的に従属する特定用途向け集積回路チップなどの複数のプロセッサを有してもよい。
【０１０６】
一般的に、本開示の様々な実施形態は、ハードウェア又は専用回路、ソフトウェア、ロジック、又はそれらの任意の組み合わせで実施されてもよい。いくつかの態様はハードウェアで実施され、他の態様はコントローラ、マイクロプロセッサ、又は他のコンピューティングデバイスによって実行され得るファームウェア又はソフトウェアで実施されてもよい。本開示の実施形態の様々な態様は、ブロック図、フローチャートとして、又は他の何らかの画像表現を使用して例示及び説明されたが、本明細書に記載されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらのいくつかの組み合わせで実施されてもよいことを理解されたい。
【０１０７】
本開示は、さらに、非一時的なコンピュータ読み取り可能な記憶媒体に有形に格納された少なくとも１つのコンピュータプログラム製品を提供する。コンピュータプログラム製品は、図２及び図９を参照して上述したプロセス又は方法を実行するために、プログラムモジュールに含まれるものなどの、対象の実プロセッサ又は仮想プロセッサ上のデバイスで実行されるコンピュータ実行可能な命令を含む。一般的に、プログラムモジュールは、特定のタスクを実行したり、特定の抽象データ型を実施したりするルーチン、プログラム、ライブラリ、オブジェクト、クラス、コンポーネント、データ構造などを含む。プログラムモジュールの機能は、様々な実施形態で記載されたプログラムモジュール間で組み合わせる、又は分割されることができる。プログラムモジュールのためのマシン実行可能な命令は、ローカルデバイス又は分散型デバイス内で実行されてもよい。分散型デバイスでは、プログラムモジュールがローカル記憶媒体とリモート記憶媒体の両方に配置されてもよい。
【０１０８】
本開示の方法を実行するためのプログラムコードは、１つ又は複数のプログラミング言語の任意の組み合わせで書かれてもよい。これらのプログラムコードは、汎用コンピュータ、専用コンピュータ、又は他のプログラム可能なデータ処理装置のプロセッサ又はコントローラに提供されることにより、プログラムコードがプロセッサ又はコントローラによって実行されると、フローチャート及び／又はブロック図に規定される機能／動作が実現される。プログラムコードは、完全にマシン上で実行されてもよく、その一部がマシン上で実行されてもよく、スタンドアロンのソフトウェアパッケージとして実行されてもよく、一部がマシン上で実行され且つ一部がリモートマシン上で実行されてもよく、完全にリモートマシン又はサーバ上で実行されてもよい。
【０１０９】
上記プログラムコードは、命令実行システム、装置、又はデバイスによって、又はそれと関連して使用されるためのプログラムを含む又は格納することができる任意の有形媒体であり得るマシン読み取り可能な媒体上で具現化されてもよい。マシン読み取り可能な媒体は、マシン読み取り可能な信号媒体又はマシン読み取り可能な記憶媒体であってもよい。マシン読み取り可能な媒体は、電子、磁気、光学、電磁気、赤外線、又は半導体システム、装置、デバイス、あるいは前記の任意の適切な組み合わせを含むが、これらに限定されない。マシン読み取り可能な記憶媒体のより具体的な例として、１つ又は複数のワイヤによる電気的接続、ポータブルコンピュータディスケット、ハードディスク、ＲＡＭ（Random Access Memory）、ＲＯＭ（Read Only Memory）、消去可能なプログラム可能な読み取り専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は前記の任意の適切な組み合わせが挙げられるが、これらに限定されない。
【０１１０】
さらに、動作が特定の順序で描かれているが、これは、望ましい結果を達成するために、そのような動作が図示の特定の順序又は連続順序で実行されること、又は描かれたすべての動作が実行されることを要求するものとして理解されるべきではない。特定の状況では、マルチタスク及び並列処理が有利であることがある。同様に、上記の説明にはいくつかの特定の実施形態の詳細が含まれているが、これらは本開示の範囲を制限するものとして解釈されるべきではなく、特定の実施形態に特有の特徴の説明として解釈されるべきである。別々の実施形態のコンテキストで説明されている特定の特徴は、単一の実施形態に組み合わせて実施されてもよい。逆に、単一の実施形態のコンテキストで説明されている様々な特徴も、複数の実施形態で別々に、又は任意の適切なサブコンビネーションで実施されてもよい。
【０１１１】
本開示は、構造的特徴及び／又は方法論的動作に特有の用語で説明されたが、添付の特許請求の範囲で限定される本開示は、必ずしも上述の特定の特徴又は動作に限定されないことを理解されたい。むしろ、上述の特定の特徴及び動作は、特許請求の範囲を実施する例示的な形態として説明されている。
【図１Ａ】
2022502879.tif 000003
【図１Ｂ】
2022502879.tif 000004
【図２】
2022502879.tif 000005
【図３Ａ】
2022502879.tif 000006
【図３Ｂ】
2022502879.tif 000007
【図３Ｃ】
2022502879.tif 000008
【図３Ｄ】
2022502879.tif 000009
【図３Ｅ】
2022502879.tif 000010
【図３Ｆ】
2022502879.tif 000011
【図４】
2022502879.tif 000012
【図５Ａ】
2022502879.tif 000013
【図５Ｂ】
2022502879.tif 000014
【図５Ｃ】
2022502879.tif 000015
【図６】
2022502879.tif 000016
【図７Ａ】
2022502879.tif 000017
【図７Ｂ】
2022502879.tif 000018
【図７Ｃ】
2022502879.tif 000019
【図７Ｄ】
2022502879.tif 000020
【図７Ｅ】
2022502879.tif 000021
【図７Ｆ】
2022502879.tif 000022
【図８】
2022502879.tif 000023
【図９】
2022502879.tif 000024
【図１０】
2022502879.tif 000025
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
端末デバイスで実施される方法であって、
ネットワークデバイスが前記端末デバイスにサービスを提供するためにサービングセルを提供し、且つ前記サービングセルが少なくともアップリンク伝送のタイミングを調整するための第１のプロシージャ、及びアップリンク伝送のタイミングを調整するための第２のプロシージャで構成されることに応答して、前記第１のプロシージャ及び前記第２のプロシージャから、アップリンク伝送に適用される少なくとも１つのプロシージャを決定することと、
前記少なくとも１つのプロシージャに対して少なくとも１つのタイミングアドバンス（ＴＡ：Timing Advance）値を決定することと、
前記少なくとも１つのＴＡ値に基づいて前記アップリンク伝送の前記タイミングを調整することによって、前記少なくとも１つのプロシージャを前記アップリンク伝送に適用することと、
を含む、方法。
【請求項２】
前記ネットワークデバイスは、前記端末デバイスと通信するために、第１のＴＲＰ及び第２のＴＲＰと接続され、前記第１のＴＲＰ及び前記第２のＴＲＰは前記サービングセルに含まれており、
前記第１のプロシージャは、前記第１のＴＲＰを介するアップリンク伝送のタイミングを調整するように構成され、前記第２のプロシージャは、前記第２のＴＲＰを介するアップリンク伝送のタイミングを調整するように構成されている、
請求項１に記載の方法。
【請求項３】
前記少なくとも１つのプロシージャを決定することは、
前記アップリンク伝送に関連付けられた少なくとも１つのリソースに関する情報を受信したことに応答して、前記情報に基づいて前記少なくとも１つのプロシージャを決定することを含む、
請求項１に記載の方法。
【請求項４】
少なくとも１つのプロシージャを決定することは、
前記ネットワークデバイスから、ＰＵＳＣＨでのアップリンク伝送に使用される少なくとも１つのＳＲＳリソースの指示を受信したことに応答して、前記少なくとも１つのＳＲＳリソースに基づいて、前記ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項５】
少なくとも１つのプロシージャを決定することは、
前記ネットワークデバイスから、ＰＵＳＣＨに関連付けられたＤＭＲＳを伝送するために使用される少なくとも１つのＤＭＲＳポートの指示を受信したことに応答して、前記少なくとも１つのＤＭＲＳポートに基づいて、ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項６】
少なくとも１つのプロシージャを決定することは、
前記ネットワークデバイスから、ＰＵＳＣＨでのアップリンク伝送に使用されるプリコーディング情報を決定するための少なくとも１つのＣＳＩ−ＲＳリソースの指示を受信したことに応答して、前記少なくとも１つのＣＳＩ−ＲＳリソースに基づいて、前記ＰＵＳＣＨでのアップリンク伝送に適用される前記少なくとも１つのプロシージャを決定することを含み、
前記アップリンク伝送の前記タイミングを調整することは、
前記少なくとも１つのＴＡ値に基づいて、前記ＰＵＳＣＨでのアップリンク伝送の前記タイミングを調整することを含む、
請求項１に記載の方法。
【請求項７】
少なくとも１つのプロシージャを決定することは、
前記ネットワークデバイスから、ＰＵＣＣＨでの伝送に対する構成を受信したことに応答して、前記構成に基づいて、前記第１のプロシージャ及び前記第２のプロシージャから、ＰＵＳＣＨでのアップリンク伝送に適用される第３のプロシージャと、ＰＵＣＣＨでのアップリンク伝送に適用される第４のプロシージャとを決定することを含み、
少なくとも１つのＴＡ値を決定することは、
前記第３のプロシージャに対するＴＡ値、及び前記第４のプロシージャに対する他のＴＡ値を決定することを含み、
前記アップリンク伝送の前記タイミングを調整することは、
前記ＴＡ値に基づいて、前記ＰＵＳＣＨでのアップリンク伝送の前記タイミングを調整することと、
前記他のＴＡ値に基づいて、前記ＰＵＣＣＨでのアップリンク伝送の前記タイミングを調整することと、を含む、
請求項１に記載の方法。
【請求項８】
前記少なくとも１つのプロシージャは、前記第１のＴＲＰを介する第１のアップリンク伝送に適用される前記第１のプロシージャを含み、
少なくとも１つのＴＡ値を決定することは、
前記第１のプロシージャに対する第１のＴＡ値を決定することを含み、
前記アップリンク伝送の前記タイミングを調整することは、
前記第１のＴＡ値に基づいて、前記第１のアップリンク伝送の前記タイミングを調整することを含む、
請求項２に記載の方法。
【請求項９】
前記少なくとも１つのプロシージャは、前記第２のＴＲＰを介する第２のアップリンク伝送に適用される前記第２のプロシージャをさらに含み、
少なくとも１つのＴＡ値を決定することは、
前記第２のプロシージャに対する第２のＴＡ値を決定することを含み、前記第２のＴＡ値は前記第１のＴＡ値とは異なり、
前記アップリンク伝送の前記タイミングを調整することは、
前記第２のＴＡ値に基づいて、前記第２のアップリンク伝送の前記タイミングを調整することを含む、
請求項８に記載の方法。
【請求項１０】
前記第１のＴＡ値は、
ランダムアクセス応答からのＴＡコマンド、
媒体アクセス制御（ＭＡＣ：Medium Access Control）制御要素（ＣＥ：Control Element）からのＴＡコマンド、及び
以前に前記第１のプロシージャに対して決定されたＴＡ値、
のうちの少なくとも１つに基づいて決定される、
請求項８に記載の方法。
【請求項１１】
前記第２のＴＡ値は、
ランダムアクセス応答からのＴＡコマンド、
ＭＡＣ  ＣＥからのＴＡコマンド、
以前に前記第１のプロシージャに対して決定されたＴＡ値、
以前に前記第２のプロシージャに対して決定されたＴＡ値、及び
前記第１のＴＲＰから受信した第１のダウンリンク信号と前記第２のＴＲＰから受信した第２のダウンリンク信号との間のタイミング差、
のうちの少なくとも１つに基づいて決定される、
請求項９に記載の方法。
【請求項１２】
ネットワークデバイスで実施される方法であって、
前記ネットワークデバイスが、端末デバイスにサービスを提供するためにサービングセルを提供し、且つ前記サービングセルが少なくともアップリンク伝送のタイミングを調整するための第１のプロシージャ、及びアップリンク伝送のタイミングを調整するための第２のプロシージャで構成されることに応答して、前記第１のプロシージャ及び前記第２のプロシージャから、アップリンク伝送に適用される少なくとも１つのプロシージャを決定することと、
前記端末デバイスが、前記アップリンク伝送のタイミングを調整するために前記少なくとも１つのプロシージャを適用するように、前記端末デバイスに前記少なくとも１つのプロシージャを示すことと、
を含む、方法。
【請求項１３】
前記ネットワークデバイスは、前記端末デバイスと通信するために、第１のＴＲＰ及び第２のＴＲＰと接続され、前記第１のＴＲＰ及び前記第２のＴＲＰは前記サービングセルに含まれており、
前記第１のプロシージャは、前記第１のＴＲＰを介するアップリンク伝送のタイミングを調整するように構成され、前記第２のプロシージャは、前記第２のＴＲＰを介するアップリンク伝送のタイミングを調整するように構成されている、
請求項１２に記載の方法。
【請求項１４】
前記少なくとも１つのプロシージャを示すことは、
前記アップリンク伝送に関連付けられた少なくとも１つのリソースに関する情報を前記端末デバイスに伝送することによって、前記少なくとも１つのプロシージャを示すことを含む、
請求項１２に記載の方法。
【請求項１５】
デバイスであって、
プロセッサと、
前記プロセッサに接続され、前記プロセッサによって実行されると、前記デバイスに請求項１から１１のいずれか一項に記載の方法、又は請求項１２から１４のいずれか一項に記載の方法を実行させる命令が格納されたメモリと、
を備える、デバイス。
【国際調査報告】
2022502879.tif 000026
2022502879.tif 000027